(57)【要約】      （修正有）【課題】現代の歯磨き用品は、一ヶ月以上、長持ちする物であり、普通は各家庭の洗面所で使用される物でありながらも、使い捨て歯磨き用品の方は、いずれも携帯し易い様には、設計されてはおらずに、戸外使用のし易さは、満たされてはいなかった。携帯時には、半分位の大きさに、折り曲げるか、縮少させ持ち運びし易い形態の歯磨き用品を提供する。【解決手段】戸外使用のしずらさの原因は、歯ブラシの長さにあって、戸外携帯するのには、ポケットに入らず、目方があり、ガサ張り、持ち運びしにくかったからであり、これに新しい技術を加え、戸外のいかなる所でも使用できる様に、背中に歯磨チューブを背負わせ、使用時は、引張り出して１８ｃｍ位の物となり、携帯時には、押し込んで、９ｃｍ位迄縮少させる技術を導入したら、服のポケットの中に楽に入り、カバン、バッグの中に入れても、バラバラにならず、目障りや邪馬になりにくく、携帯し易い物となった。【選択図】図１
2013255771.tif 000002
【特許請求の範囲】
【請求項１】
本発明、「使い捨て弦揚子付歯ブラシ」（Ｔ．６５１）では、歯ブラシのネックの部分を放物線状に作り、放物線形状に作ったネックの底部に糸（弦）を付け、歯と歯の間に溜まる、歯垢を取り除くべく目的を持たせた弦揚子が発明される請求。
【請求項２】
現代、およそ１８ｃｍ位の長さの、真っすぐな形状に作られている、歯ブラシのおよそ中心部から「くの字」状に折り曲げられる、機能をこれに付け、その様にコンパクトにし、半分の９ｃｍ位の長さに折り曲げ、持ち運びし易い、ポケットサイズの短さになる歯ブラシを創作し、折り曲げた歯ブラシを折り曲げ切った所で、ブラシを収納できるブラシ収納ポケットをブラシの柄の反対方向の尻部に備え付ける「使い捨てコンパクト歯ブラシ」（Ｔ．６５２）をして、又スライド機能も之に付けられる、発明請求。
【請求項３】
現代、およそ１８ｃｍ位の長さの真っすぐな形状に作られ使用されている、歯ブラシの背中に、小型の歯磨きチューブを収納できるポケットを之に付け、チューブの出し入れが自在に出来る様にし、この歯ブラシ使用時は、１８ｃｍ位迄に引っぱり出して、歯磨きに用い、使用しない、携帯時には、スライドさせる機能を持たせる事で、半分の９ｃｍ位迄、縮少させ、縮少し切った歯ブラシのブラシ部位にブラシ収納ポケットを取り付ける「歯磨きチューブ付きブラシ」（Ｔ．６５３）が発明される請求。
【発明の詳細な説明】
【技術分野】
【０００１】  現代市販されている歯ブラシは、大体１８ｃｍ位の長さで使られている物であり、これらの歯磨き用品は、携帯しづらく、携帯するには、長すぎる程に感じられ、歯磨きチューブも常備しなければならずに、それが原因で、カバン、バックの中に入れて持ち歩くには、バラバラとなり、ガサ張り、歯磨きチューブも目方があり、なかなか目障りな存在となっており、持ち運びするにも不便さを感じた時、これをスライドさせるか、折り畳ませる機能を持たせたりして、伸縮、折り曲げを自在にすると、持ち運び時に、半分の９ｃｍ位のポケットサイズの小さな物となり、弦揚子を付け、更に之れの背中に、小型の歯磨きチューブを入れられるポケットと、ブラシ自体を収縮時、収納できるポケットを付ける新しい技術力の多くが発生した。
【背景技術】
【０００２】２００９年１３５５４９  非特許文献
【発明の概要】
【発明が解決しようとする課題】
【０００３】  筆者のファーストキスは１２才であった。マサていたのだが、その後、学生時代は、普通の学生の様に、頻繁にキスの経験をしたが、口の中は、常に清潔にしていなければならなかった。カバンの中には、常時、歯ブラシ、歯磨きチューブを持ち歩いていたが、ゴロゴロして、目方があり、長い物でもあり、携帯しにくく、邪馬な物でもあった。課題が生じた。
【課題を解決する為の手段】
【０００４】  そもそも、歯磨き、歯ブラシ、弦揚子とは、口の中と、歯を掃徐する衛生用品であり、常に清潔な状態にしていなければならぬ物でありながらも、現代の歯ブラシは、どれも平均して１８ｃｍ位に作られていて、カバン、バックの中に入れて持ち運ぶには、長すぎて目障りであり、歯磨チューブを同時携帯するにも、不便さが生じていた時、本発明歯ブラシは、ブラシ部分にブラシ収納ポケットを付ける他、小さ目の歯磨きチューブを収納できるポケットを之の背中に付け、弦揚子も付けたが、その他に、この歯ブラシにスライド機能をつける他、「くの字型」に折り曲げて、携帯時には、９ｃｍ位の大きさで持ち運びし易く、使用時には、１８ｃｍ位の大きさ迄引き延ばせて使用できる物となった。
【発明の効果】
【０００５】  しかし併、例えを用いて言えば、現代の人々は、コンパクトチリ紙が発明されてから、人々は日常、常にチリ紙を身近において手軽にこれを使用できた様に、本発明、「使い捨てコンパクト歯ブラシ」等が創作され、歯磨き用品をコンパクト化する事に成功した事により、２１世紀以後の人々は、本発明品が持ち運び中にあまりにも小さくなるので、必要時、ポケットに入れて置く事が出来、ポケットサイズになるので、いかなる行き先でも、この様に、気軽にこれを取り扱い、使い捨てできる様になったが、歯ブラシのゴミが増えるものとなる事が予想された。
【図面の簡単な説明】
【０００６】  本発明、「使い捨て弦揚子付歯ブラシ」（Ｔ．６５１）「使い捨てコンパクト歯ブラシ」（Ｔ．６５２）「歯磨きチューブ付き歯ブラシ」（Ｔ．６５３）等の各図であるが、歯ブラシのネックを放物線状に作り、底部に糸で弦を張り、弦揚子を作る物と、ネックを放物線状にはせず、現代普通に見られる、平均１８ｃｍ位の歯ブラシの真中の部位から「くの字」に折って曲げ、約９ｃｍ位のコンパクトにする物と、スライドさせて伸縮自在に出来る歯ブラシを作り、その背中に、小さな歯磨きチューブを買い求め之を入れて、持ち運び出来る、チューブ入れポケットを取り付けた創作品を各品別に立体図で示す物であった。
【発明を実施する為の形態】
【０００７】  本発明品は、使い捨て歯磨き用品を理想とし、歯を磨く時は、歯磨きし易い様に、引っ張り出して、１８ｃｍ位の真っすぐな長さを保つ事が出来るプラスチック製の歯磨き用品となり、歯磨きをしない（購入）時、若しくは携帯時には、服のポケットにもこれを容易に入れられ、持ち運びし易い様にし、この歯ブラシの背中にも、小型の歯磨きチューブを常備できるポケットを付け、この様にして、携帯時には、１８ｃｍの半分の大きさの９ｃｍ位の大きさに、折り曲げるか、縮少させ持ち運びし易い形態となった。
【実施例】
【０００８】  本発明品は、実際に、使用時には、１８ｃｍ位であり、携帯する時には、９ｃｍ位の大きさとなり、あまりにも小さくなる為、見た人は驚き、カバン、バッグは疎か、服のポケットにも楽々入り、軽い物であり、持ち運び中にも不便さを感じづらい物となった。
【産業上利用の可能性】
【０００９】  使い捨て歯磨き用品の利用率、及び販売路は、現在、ホテル、旅館、銭湯等の洗面室で使用されるくらいの物であって、コンビニ、スーパー、デパート等では殆ど普通には、売られてはいなかった。
その原因は、長さに原因があって、消費者が携帯するのにポケットに入らず、ガサ張り、持ち運びしにくかったからであって売れなかった。そこで本発明品は、使用時には、１８ｃｍ位いに引き延ばし、使用しない携帯時には、その半分の９ｃｍ位に収縮、収納できる歯磨き用品にして製作した場合、一度購入したら、一ヶ月以上購入しなくても長持ちする、現代までの技術によって、販売流通する現代の歯磨き用具に比べて、購入者は、購入後之をすぐにポケットやカバン、バッグに入れて携帯し易く、常設、常備し易くなる為、コンビニ、スーパー、デパート等でも之が売られる様になり、通常の売り上げの１０倍から１００倍以上の売りさばきが予想される事を歯磨き製造産業界が理解した場合、産業上利用の可能性は極めて高い物と考えられた。
【符号の説明】
【００１０】１、本発明、「使い捨て弦楊子付き歯ブラシ」（Ｔ．６５１）を全長１８ｃｍ位の長さで作り、歯磨きに使用すべき時、完全に、引き延ばした全体図を立体的に示している全体図であり、２、本発明歯ブラシのネックの部分は、放物線状に作り、３、放物線形状の歯ブラシの底部に糸（弦）
2013255771.tif 000003
弦楊子の発想、発明は、筆者が考案した物（背景技術２００９年１３５５４９他）であったが、日本国（自民党、他各党）が為し、犯罪機関化した、東京地検特捜部がこの犯罪がある事を告訴しても告発をせず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの不法行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所、道路等の全てに向けて仕掛けられており、国内にはおよそ、９億台以上あると言われている、テレビ等の持つ高周波無線に、レーザ線を同調波、電波として、之に打ち込むと、それらのテレビ、ラジオ等の前にいる人々の室内、内部は、丸見えとなり、一日二十四時間単位で、一気に、これを盗聴、盗撮、記録できる様に仕掛けられ、その内情を密かに覗き見る事が出来る事は、日本国民が持つ、各家電品である、テレビ、９億台以上にも相当できる情報処理が出来るものとなり、レーザ線は、盗聴、盗撮波となり、今来た路線を正確に戻り、この国是となり、この犯罪を実行する、犯罪機構機関化している、テレビ局、ラジオ局、警察無線局他等では、之等、盗聴、盗撮した撮影物を謀国が示す指令のままに、之等を閲覧する者が電波を自由自在に繰れるものとなり、（背影技術．２００４年３１４７９６）この事は、分り易く言えば、漁船が、海底に向けて、超音波を打ち込むと、超音波は跳ね返えり、今来た路を戻って来て、漁船内部にある、モニター画面を写すのに以ているが、技術は日進月歩で進んでおり、これらの電波をアナログ波から、デジタル波に（強制）変更させると、スーパーコンピューター（パソコン、携帯電話等を含む）の持つデジタル（シナプス）波と同調する、このデジタル周波数を出す、各家庭にある、テレビ、ラジオ、パソコン、携帯電話等が出力する、デジタル周波数とは、同調波となる為、人間、動物等は、物を考える時、脳がデジタル（シナプス）電波を出すので、このテレビ、ラジオ他の家電品の持つデジタル（シナプス）電波が同調する時、デジタル、テレビ、ラジオ等の前で何も知らず、くつろいで居る人々の素形は、他所でこの電波を悪用する者達の前で丸見えとなっている事は、一搬市民は知られざる所、「ＮＴＴ及びドコモでは、顧客の情報秘密を厳守する。』とウソの報導し続け、詐欺を働き、国民の中から、モニター（大西真実等、他多く）を選んで、盗聴、盗撮物をマスコミに垂れ流し続け、注意したが聞かず、最高裁判所犯罪機関機関が容認した事である。とウソ吹き、日本国政府は謀国が支持する、この悪事犯罪は、無い物に思わせる為、『個人情報保護法案』と題するウソ八百の国是となる法案を、国民を騙す目的を以って、発表したが、元々、これらの事件の元となる物は謀国に墜落したＵＦＯの中に生存していたエーリアンが持っていた技術であり、通訳に使われた物であり、これは、人動物の脳が生活時に出すシナプス、デジタル電波にスーパーコンピュータ（パソコンを含む）を介し、テレビ局、ラジオ局等が出力発信させる、デジタル電波が同調波となる時、テレビ、ラジオ、携帯電話等の前に居る人々（動物を含む）１億２千万人の日本国民の考えている事を一気にスーパーコンピューター（パソコンを含む）が文字若しくは音声変換させる事が出来る様になっている事は、大西真実は、この技術者であり、テレパシーモニタリング技術を見破った、日本国民、ただ一人のモニター対象に選ばれている事で、全世界のマスコミが見て証人となり、周知する物となった。口塞ぎで、何度も消されがかったが免れる所となっている事も事実であり、この技術は、現在、米軍戦闘機に（極秘）も使用されている物であった。又消費税が上がる事を前提に、日本国民１億２千万人が持つ、住所、氏名、年令、銀行口座番号を知り、国民○○に登録するを以って、定額給付金、１万２千円づつを配布する、丸見えとなる、目に余る行為を国家の指導者は、実力行使し続け（タバコも然る物であり）、これらの事件内容は、筆者が、日数をかけず全て手書きで書かれ、特許庁に提出される。特許論文の内容で暴露され続け、社会に少しづつ漏れ出し、自民党は、過半数割れをするものとなったが、これらの事件は、現在、民主党に受け継がれるまま、悪質化の一途を辿り、一搬国民には、隠され受け続けるままとなり、日本国マスコミも之等の事件を知り併、日本国民には報導せず、この悪事犯罪に賛同し続けたものであり、現在、日本国民の家屋室内は謀国犯罪機構機関人員の繰るままに、スーパーコンピューター（パソコンも含む）の威力の前に動物舎屋同然となっているものであり、発明家でもある筆者の発明創作物は、この様にして、盗まれ続けるので、
2013255771.tif 000004
４、本発明、「使い捨て弦楊子付歯ブラシ」（Ｔ．６５１）を携帯する時、之をコンパクトにする為「くの字型」に折り曲げた図を立体図に示し、５、使い捨て弦楊子付歯ブラシ」（Ｔ．６５１）を携帯しようと思われる時、「くの字型」から完全に折り曲げ、１８ｃｍの半分の９ｃｍ位いのポケットサイズに折り畳んだ時の図を示している。６、本発明、「使い捨てコンパクト歯ブラシ」（Ｔ．６５２）をスライドさせ、全長１８ｃｍ位まで引っ張り出して延ばせる事を表わす他、７、反対に、スライドさせ、全長が１８ｃｍの半分の９ｃｍ位になる迄、押し込んで、収縮させる事ができる事を、失印で示した図となる。８、本発明、「使い捨てコンパクト歯ブラシ」（Ｔ．６５２）を半分の９ｃｍ位迄、スライドさせ、収縮させた際、ブラシ部分が格納されるブラシ、ポケットを表わす図。９、本発明、「スライド式、歯磨きチューブ付き歯ブラシ」（Ｔ．６５３）をスライドさせ、全長１８ｃｍ位まで、引っ張り出して延ばせる事を表わす他、１０、反対に、スライドさせ、全長が、１８ｃｍの半分の９ｃｍ位になるまで、押し込んで収縮できる方向を失印で示した図となる。１１、本発明「スライド式、歯磨きチューブ付き歯ブラシ」（Ｔ．６５３）を半分の９ｃｍ位迄スライドさせ、収縮させた時、歯ブラシのブラシ部分が格納される、ブラシポケットを表わす図。１２、小型の歯磨きチューブ。１３、小型の歯磨きチューブを入れるポケット。１４、本発明、「くの字式、歯磨きチューブ付き歯ブラシ」（Ｔ．６５４）を全長１８ｃｍ位の長さに作り、歯磨きに使用すべき時、完全に引き延ばした全体図を立体図に示している全体図であるが、１５、「くの字式、歯磨きチューブ付歯ブラシ」（Ｔ．６５４）を携帯する時、これをコンパクトにする為、「くの字型」に折り曲げる方向を、矢印で示した立体図。１６、（Ｔ．６５４号）歯ブラシを携帯する為に完全に折り畳むと、全長１８ｃｍの半分の９ｃｍ位のポケットサイズになる事を示しており、１７、完全に折り畳んだ時、歯ブラシのブラシ部分を格納できるポケットが付いている事を示している。１８、本発明、使い捨て楊子付歯ブラシ（Ｔ．６５１）に備っている弦楊子の弦を使い、上前歯で押し付け、下前歯の間を掃除している所を示している図となった。
【図１】
2013255771.tif 000005
【図２】
2013255771.tif 000006
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
本発明「くの字式弦楊子付歯ブラシ」（Ｔ．６５１）の歯ブラシのネックの部分を放物線状に作り、放物線形状に作ったネックの底部に糸（弦）を付け、歯と歯の間に溜まる、歯垢を取り除くべく目的を持たせた弦楊子が発明される事と、歯ブラシを「くの字型に」折り曲げる（Ｔ．６５１）式の歯ブラシが請求される請求。
【請求項２】
現代、およそ１８ｃｍ位の長さの、真っすぐな形状に作られている、歯ブラシのおよそ中心部から「くの字」状に折り曲げられる、機能をこれに付け、その様にコンパクトにし、半分の９ｃｍ位の長さに折り曲げ、持ち運びし易い、ポケットサイズの短さになる歯ブラシを創作し、折り曲げた歯ブラシを折り曲げ切った所で、ブラシを収納できるブラシ収納ポケットをブラシの柄の反対方向の尻部に備え付ける、「くの字式歯磨チューブ付歯ブラシ（Ｔ．６５２）をして、又、之に歯磨チューブポケット（Ｔ．６５２）を付ける発明請求。
【請求項３】
現代、およそ１８ｃｍ位の長さの真っすぐな形状に作られ使用されている、歯ブラシの背中に、小型の歯磨き、チューブを収納できるポケットを之に付け、チューブの出し入れが自在に出来る様にし、この歯ブラシの使用時には、折り畳み式（Ｔ．６５２）とスライド式（Ｔ．６５３）、（Ｔ．６５４）に出来る物として創作し、「折り畳み式」の場合、引っ張り出し、使用する際には、１８ｃｍ位の物となって使用し、使用しない、携帯時には、「くの字式歯磨き」は、折り曲げて半分の９ｃｍ位の物（Ｔ．６５１）となる物とし、スライド式（Ｔ．６５３）、（Ｔ．６５４）の場合には、スライドさせ、やはり、引っ張り出して使用する物となるが、使用しない携帯時には、スライドさせ縮少させると、「二段スライド式歯ブラシ」（Ｔ．６５３）の場合は、半分の９ｃｍ位の物となるが、更に「三段スライド式歯ブラシ」（Ｔ．６５４）の場合には縮少される、６ｃｍ位のコンパクト状の物となり、持ち運びや、歯磨き使用、携帯が大変便利となる、コンパクト歯磨き道具が発明される請求。
【手続補正２】
【補正対象書類名】明細書
【補正対象項目名】全文
【補正方法】変更
【補正の内容】
【発明の詳細な説明】
【技術分野】
【０００１】  現代市販されている歯ブラシは、大体１８ｃｍ位の長さで使られている物であり、これらの歯磨き用品は、携帯しづらく、携帯するには、長すぎる程に感じられ、歯磨きチューブも常備しなければならずに、それが原因で、カバン、バックの中に入れて持ち歩くには、バラバラとなり、ガサ張り、歯磨きチューブも目方があり、なかなか目障りな存在となっており、持ち運びするにも不便さを感じた時、これをスライドさせるか、折り畳ませる機能を持たせたりして、伸縮、折り曲げを自在にすると、持ち運び時に、半分の９ｃｍ位のポケットサイズの小さな物となり、弦楊子を付け、更に之れの背中に、小型の歯磨きチューブを入れられるポケットと、ブラシ自体を収縮時、収納できるポケットを付ける新しい技術力の多くが発生した。
【背景技術】
【０００２】  ２００９年１３５５４９  非特許文献
【発明の概要】
【発明が解決しようとする課題】
【０００３】  筆者のファーストキスは１２才であった。マセていたのだがその後、学生時代は、普通の学生の様に頻繁にキスの経験をしたが、口の中は、常に清潔にしていなければならなかった。カバンの中には、常時、歯ブラシ、歯磨きチューブを持ち歩いていたが、ゴロゴロして、目方があり、長い物でもあり、携帯しにくく、邪馬な物でもあった。課題が生じた。
【課題を解決する為の手段】
【０００４】  そもそも、歯磨き、歯ブラシ、弦楊子とは、口の中と、歯を掃除する衛生用品であり、常に清潔な状態にしていなければならぬ物でありながらも、現代の歯ブラシは、どれも平均して１８ｃｍ位に作られていて、カバン、バッグの中に入れて持ち運ぶには、長すぎて目障りであり、歯磨チューブを同時携帯するにも、不便さが生じていた時、本発明歯ブラシは、ブラシ部分にブラシ収納ポケットを付ける他、小さ目の歯磨きチューブを収納できるポケットを之の背中に付け、弦楊子も付けたが、その他に、この歯ブラシにスライド機能をつける他、「くの字型」に折り曲げて携帯時には６ｃｍか９ｃｍ位の大きさで持ち運びし易く、使用時には、１８ｃｍ位の大きさ迄引き延ばせて使用できる物となった。
【発明の効果】
【０００５】  しかし併、例えを用いて言えば、現代の人々は、コンパクトチリ紙が発明されてから、人々は日常、常にチリ紙を身近において手軽にこれを使用できた様に、本発明、「使い捨てコンパクト歯ブラシ」等が創作され、歯磨き用品をコンパクト化する事に成功した事により、２１世紀以後の人々は、本発明品が持ち運び中にあまりにも小さくなるので、必要時、ポケットに入れて置く事が出来、ポケットサイズになるので、いかなる行き先でも、この様に、気軽にこれを取り扱い、使い捨てできる様になったが、歯ブラシのゴミが増えるものとなる事が予想された。
【図面の簡単な説明】
【０００６】
【図１】本発明、全長を１８ｃｍ位で作る「くの字式弦楊子付き歯ブラシ」（Ｔ．６５１）の歯ブラシのネックの部分を放物線状に作り、その底部は糸で弦を張り、弦楊子を作り、この「くの字式弦楊子付き歯ブラシ」（Ｔ．６５１）歯磨き使用時には、引っ張り出して、真っすぐにして使うが、携帯、持ち運び時には、中心部から「くの字」型に折り曲げて畳み込む事が出来る際、半分の９ｃｍ位いの大きさにコンパクトにする事が出来る事を立体図に表わしている事と、同じく、本発明品であり、歯ブラシを１８ｃｍ位の直線型に作り、スライド式にし、歯ブラシを使用する際には、引っ張り出して歯磨きに用い、使用しない時にはスライド式に押し込んで収納でき、収納する時は、９ｃｍ位の半分位いのコンパクト状になる、「二段スライド式コンパクト歯ブラシ」（Ｔ．６５３）が出来る時、これを立体図に示した物となるが、他に、本発明、弦楊子の口内使用例も書き表われているものとなった。
【図２】  本発明、全長１８ｃｍ位で作る「くの字式歯磨チューブ付き歯ブラシ」（Ｔ．６５２）の背部に歯磨チューブを入れ込んで携帯できる「くの字式歯磨チューブ付き歯ブラシ」（Ｔ．６５２）を作り、これの使用時には、真っすぐな型にして作る物とするが、使用しない時は、この歯ブラシもやはり、中心部から「くの字」に折り曲げて畳み込む事が出来る際、半分の９ｃｍ位のコンパクトな大きさにする事が出来ると共に、更に同じく、本発明品であり、歯ブラシを１８ｃｍ位の直線スライド式型に作り、歯ブラシの背部に歯磨きチューブを入れる事の出来るチューブポケットを付け、歯磨きチューブを之に入れ、スライドを三段式にした場合、スライドさせる縮少時には、更に６ｃｍ位まで縮少させる事が出来る「三段スライド式コンパクト歯ブラシ」（Ｔ．６５４）が発明される図となった。
【発明を実施する為の形態】
【０００７】  本発明品は、使い捨て歯磨き用品を理想とし、歯を磨く時は、歯磨きし易い様に、引っ張り出して、１８ｃｍ位の真っすぐな長さを保つ事が出来るプラスチック製の歯磨き用品となり、歯磨きをしない（購入）時、若しくは携帯時には、服のポケットにもこれを容易に入れられ、持ち運びし易い様にし、この歯ブラシの背中にも、小型の歯磨きチューブを常備できるポケットを付け、この様にして、携帯時には、６ｃｍ位、若しくは、９ｃｍ位の大きさに縮少させ、持ち運びし易い形態となった。
【実施例】
【０００８】  本発明品は、実際に、使用時には、１８ｃｍ位であり、携帯する時には、９ｃｍ位の大きさとなり、あまりにも小さくなる為、見た人は驚き、カバン、バッグは疎か、服のポケットにも楽々入り、軽い物であり、持ち運び中にも不便さを感じづらい物となった。
【産業上利用の可能性】
【０００９】  使い捨て歯磨き用品の利用率、及び販売路は、現在、ホテル、旅館、銭湯等の洗面室で使用されるくらいの物であって、コンビニ、スーパー、デパート等では、殆ど普通には、売られてはいなかった。
その原因は、長さに原因があって、消費者が携帯するのにポケットに入らず、ガサ張り、持ち運びしにくかったからであって売れなかった。そこで本発明品は、使用時には、１８ｃｍ位いに引き延ばし、使用しない携帯時には、その半分の９ｃｍ位に収縮、収納できる歯磨き用品にして製作した場合、一度購入したら、一ヶ月以上購入しなくても長持ちする、現代までの技術によって、販売流通する現代の歯磨き用具に比べて、購入者は、購入後之をすぐにポケットやカバン、バッグに入れて携帯し易く、常設、常備し易くなる為、コンビニ、スーパー、デパート等でも之が売られる様になり、通常の売り上げの１０倍から１００倍以上の売りさばきが予想される事を歯磨き製造産業界が理解した場合、産業上利用の可能性は極めて高い物と考えられた。
【符号の説明】
【００１０】１．本発明、「くの字式、弦楊子付歯ブラシ（Ｔ．５６１）を全長１８ｃｍ位いの長さに作り、歯磨きに使用すべき時は直線に完全に引き延ばした全体図を立体図に示している全体図であり、２．本発明図歯ブラシのネックの部分は、放物線状に作り、３．放物線形状の歯ブラシの底部に糸（弦）を付ける事を目的として、弦
2013255771.tif 000007
考案した物（背景技術２００９年１３５５４９他）であったが、日本国（自民党、他名党）が為し、犯罪機関化した、東京地検特捜部が、この犯罪がある事を告訴しても告発せず、犯罪事件を隠して握り潰す
2013255771.tif 000008
事件を握り潰す事件を引き起こし、マスコミ（宣伝部）と結託して事件を拡大させ、更には、犯罪機関化した最高裁判所犯罪機関がそれらの不法行為のある事は全て正当である。と、認定した為、これらの犯罪行為は、日本国民を騙す目的を以って、国是となり、日本国政府筋にあるスーパコンピューターを介し、天皇家を始めとする日本国民１億２千万人の各家庭、会社、事務所のパソコンや、道路に向けてあるテレビ等の全てに向けて仕掛けられており、国内にはおよそ、９億台以上あると言われている、テレビ、ラジオ等の持つ高周波無線に、レーザ線を同調波、電波として、之に打ち込むと、それらのテレビ、ラジオ等の前にいる人々の室内、内部は、丸見えとなり、一日二十四時間単位で、一気にこれを盗聴、盗撮、記録できる様に仕掛けられ、その内情を密かに覗き見る事が出来る事は、日本国民が持つ、各家電品である、テレビ、９億台以上にも相当できる情報処理が出来るものとなり、レーザ線は、盗聴、盗撮波となり、今来た路線を正確に戻り、この国是となり、この犯罪を実行する、犯罪機構機関化している、テレビ局、ラジオ局、警察無線局他では、之等、盗聴、盗撮した撮影物を謀国が示す指令のままに、之等を閲覧する者が、電波を自由自在に繰れるものとなり、（背景技術２００４年３１４７９６）この事は、分り易く言えば、漁船が、海底に向けて、超音波を打ち込むと超音波は跳ね返えり、今来た路を正確に戻って来て、漁船内部にある、モニター画面を写し出すのに似ているが、技術は、日進月歩で進んでおり、これらの電波をアナログ波からデジタル波に（強制）変更させると、スーパーコンピューター（パソコン、携帯電話を含む）の持つデジタル（シナプス）波と同調する、このデジタル周波数を出す、各家庭にある、テレビ、ラジオ、パソコン、携帯電話等が出力するデジタル周波数とは、同調波となる為、人間、動物等は、物を考える時、脳がデジタル（シナプス）電波を出すので、このテレビ、ラジオ他の家電品を持つデジタル（シナプス）電波が同調する時、デジタルテレビ、ラジオ等の前で何も知らず、くつろいで居る人々の素形は、他所でこの電波を悪用する者達の前で丸見えとなっている事は、一般市民は知られざる所、携帯電話会社では、「顧客の情報秘密を厳守する。」とウソの報導し続け、詐欺を働き、国民の中からモニター（大西真実等他多く）を選んで、盗聴、盗撮物を秘かに盗み続け、マスコミに垂れ流し続け、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って、発表したが、元々、これらの事件の元となる物は、某国に墜落したＵＦＯの中に生存していたエーリアンが持っていた技術であり、通訳に使われた物であり、これは、人動物の脳が生活時に出すシナプス・デジタル電波にスーパーコンピューター（パソコンを含む）を介し、テレビ局、ラジオ局等が出力発信させる、デジタル電波が同調波となる時、テレビ、ラジオ、携帯電話等の前に居る人々（動物を含む）１億２千万人の日本国民が考えている事を一気にスーパーコンピューター（パソコンを含む）が文字若しくは、音声変換させる事が出来る様になっている事は、大西真実はこの技術者であり、テレパシーモニタリング技術を見破った日本国民、ただ一人のモニター対象に選ばれている事で、全世界のマスコミが見て証人となり、周知する物となった。口塞ぎで、何度も消されがかったが免れる所となっている事も事実であり、この技術は
2013255771.tif 000009
だ時、パイロットの脳視神経にある視点（シナプス）電波と戦闘機の持つ（ハードウェアが出す）デジタル電波が合致する際、戦闘機にある（邀撃）砲が自動的にしかも正確にパイロットの睨んだ視点目標物に向けられて打ち込みが出来る様に動く等の技術に使われているものにも似ており、又、消費税が上がる事を前提に、日本国民１億２千万人が持つ、住所、氏名、年令、銀行口座番号を知り、国民○○に登録するを以って、定額給付金、１万２千円づつを配布する、丸見えとなる目に余る行為を国家の指導者は、実力行使し続け（タバコも然る物であり）、これらの事件内容は日本国民が知らぬ間に大量発生している為、日本全国民をして、筆者は、何も知らないで、特許庁様が推奨されるパソコン書きは、（秒刻みで）盗撮されている等の被害が発生している事を知っているので、それらは一切出来ぬ所となり、日数をかけず、全て手書きで書かれ、特許庁に提出される、これら特許論文の内容により、次第にこの様に隠され続けていた悪事犯罪事件事実が少しづつ世の中に暴露され続け、社会に少しづつ漏れ出し、自民党は、過半数割れをするものとなったが、これらの事件は、現在も民主党に受け継がれるまま、悪質化の一途を辿り、一般国民には、隠され、受け続けるままとなり、日本国マスコミも之等の事件を知り併、日本国民には報導せず、この悪事犯罪に賛同し続けたものであり、現在日本国民の家屋室内は、謀国犯罪機構機関人員の操るままに、スーパーコンピューター（パソコンも含む）の威力の前に動物舎屋同然となっているものであり、発明家でもある筆者の発明創作物は、この様にして、盗まれ続けるので、特許
2013255771.tif 000010
携帯する時、之をコンパクトにする為、「くの字型」に折り曲げた図を立体図に示し、５．「くの字式、弦楊子付歯ブラシ（Ｔ．６５１）を携帯しょうと思われる時、「くの字」から完全に折り曲げ、１８ｃｍの半分の９ｃｍ位＿のポケットサイズに折り畳んだ時の図を示している。６．本発明「二段スライド式コンパクト歯ブラシ」（Ｔ．６５３）をスライドさせ、全長１８ｃｍ位まで引っ張り出して延ばせる事を表わす他、７．反対にスライドさせ、全長が１８ｃｍの半分の９ｃｍ位になる迄、押し込んで、収縮させる事が出来る事を失印で示した図となる。８．本発明、「二段スライド式コンパクト歯ブラシ」（Ｔ．６５３）を半分の９ｃｍ位迄、スライドさせ、収縮した際、ブラシの部分が格納されるブラシ、ポケットを表わす図。９．本発明「三段スライド式コンパクト歯ブラシ」（Ｔ．６５４）をスライドさせ、全長１８ｃｍ位まで、引っ張り出して延ばせる事を表わす他、１０．反対にスライドさせ、全長が１８ｃｍから６ｃｍまで押し込んで収縮できる方向を失印で示した図になる。１１．本発明、「三段スライド式コンパクト歯ブラシ（Ｔ．６５４）を三段目までスライドさせ、収縮させた際、ブラシの部分が格納されるブラシポケットを表わす図。１２．小型の歯磨きチューブ。１３．小型の歯磨きチューブを入れるポケット。１４．本発明「くの字式歯磨きチューブ付き歯ブラシ（Ｔ．６５２）を全長１８ｃｍ位の長さに作り、歯磨きに使用すべき時、完全に引き延ばした全体図に示している全体図であるが、１５．「くの字式歯磨きチューブ付き歯ブラシ（Ｔ．６５２）を携帯する時、これをコンパクトにする為、「くの字」に折り曲げる方向を失印で示した立体図。１６．（Ｔ．６５２号）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納出来るポケットが付いている事を示している。１８．本発明、「くの字式弦楊子付歯ブラシ（Ｔ．６５１）に備っている弦楊子の弦を使い、上前歯で押し付け、下前歯の間を掃除している所を示す図となった。
【手続補正３】
【補正対象書類名】図面
【補正対象項目名】全図
【補正方法】変更
【補正の内容】
【図１】
2013255771.tif 000011
【図２】
2013255771.tif 000012
【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
本発明される歯ブラシは、ネックの部分を「本発明図面」と「発明図説」で説明される様に放物線状に作り、放物線形状に作ったネックの底部に糸（弦）を付け、歯と歯の間に溜る歯垢を帰除させ、取り除かさせる目的を持たせた弦楊子が発明される事をして、本発明される歯ブラシは、使用時には、１８ｃｍ位迄の形状に引き延ばして使用する事が出来る他、使用しない時には、携帯し易い様に、半分の９ｃｍ位迄の大きさに中心部から「くの字」型に、折り畳み出来る機能を付け、歯ブラシを折り曲げ切った所の、ブラシの反対方向の尻部に「ブラシ部分」を収納出来る「ブラシ収納ポケット」を付けた「くの字式弦楊子付歯ブラシ」（Ｔ．６５１）が発明される他、ブラシポケットの反対側の背に、歯磨チューブを常設し、チューブを自在に出し入れ出来る、チューブ入れポケットを組み込む構造の「くの字式歯磨きチューブ付き歯ブラシ」（Ｔ．６５２）が発明される請求。
【請求項２】
本発明される歯ブラシは、「本発明図面」と「発明図説」で説明される様に使用時には、全長１８ｃｍ位（の二段構え）にスライドさせて、引き出して、延ばし、直線形式で使用される物で、歯磨きに使用しないで、携帯する時には、全長の半分の９ｃｍ位（の二段構え）迄、スライドさせて、収縮させる事が出来、スライドさせ、縮少し切った所にブラシを収納できるブラシポケットが発明され、ブラシポケットの反対側の背に歯ブラシチューブを常設し、これを自在に、出し入れ出来るチューブ入れポケットを組み込む構造で造る「二段スライド式コンパクト歯ブラシ（Ｔ．６５３）が発明される請求。
【請求項３】
本発明される歯ブラシは、「本発明図面」と「発明図説」で説明される様に、使用時には、全長１８ｃｍ位（の三段構え）にスライドさせて、引き出して、延ばし、直線形式で使用される物で、歯磨きに使用しないで、携帯する時には、全長の１／３の６ｃｍ位（の三段構え）迄スライドさせて、収縮させる事が出来、スライドさせ、縮少し切った所にブラシを収納出来るブラシポケットが発明され、ブラシポケットの反対側の背に歯ブラシチューブを常設し、これを自在に出し入れ出来るチューブ入れポケットを組み込む構造で造る「三段スライド式コンパクト歯ブラシ（Ｔ．６５４）が発明される請求。
【手続補正２】
【補正対象書類名】明細書
【補正対象項目名】００１０
【補正方法】変更
【補正の内容】
【００１０】１．本発明、「くの字式、弦楊子付き歯ブラシ（Ｔ．５６１）を全長１８ｃｍ位いの長さに作り、歯磨きに使用すべき時は、直線に完全に引き延ばした全体図を立体図に示している全体図であり、２．本発明図歯ブラシのネックの部分は、放物線状に作り、３．放物線形状の歯ブラシの底部に糸（弦）を付ける事を目的として、弦楊子を形成している事を示し2013255771.tif 000013
党、他各党）が為し、犯罪機関化した東京地検特捜部が、この犯罪がある事を告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関がそれらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、国内には、およそ、９億台以上あると言われている、テレビ、ラジオ、携帯電話、パソコン等の持つ高周波無線に  日本国民第一級の証人対象にもなっているものであり、東京地検特捜部犯罪機関が、この事件を告発せず、握り潰すままに、最高裁判所犯罪機関が妥当、容認し、国是となっている為、事件は悪質の一途を辿り、証人大西真実は、口塞ぎで何度も消されがかったが免れる所となっている事も事実であり、この技術は、分り易く言えば、現在、謀国にある戦闘機2013255771.tif 000014
電波と戦闘機の持つ（ハードウェアーが出す）デジタル波が合致する際、戦闘機にある（邀撃）砲弾丸が自動的に、しかも正確にパイロットの睨んだ視点目標物に向けられて打ち込みが出来る様に動く等の技術に使われているものにも似ており、又、消費税が上がる事を前提に、日本国民１億２千万人が持つ、住所、氏名、年令、銀行口座番号を知り、国民○○に登録するを以って、定額給付金、１万２千円づつを平成年間に配布する、丸見えとなる目に余る行為を国家の指導者等は、実力行使し続け（タバコも然る物であり、）これらの事件内容は、日本国民が知らぬ間に大量発生している為、それ故、全国民をして、筆者は、何も知らないで、特許庁様が推奨される、発明品のパソコン書きは、（秒刻みで）盗撮されている等の国是となる犯罪被害が発生している事を知っているので、それらは、一切出来ぬ所となり、日数をかけず、全ての手書きで書かれ、特許庁に提出される「ペンは剣より強く」これらの特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民党、民主党他各党を含める共に交互に、受け継がれるままに、悪質化の一途を辿り、一般国民には隠され、受け続けるままとなり、日本国マスコミも之等お事件を知り併、日本国民には、一切報導せず、この犯罪犯行に賛同し続けたものであり、この様に、現在日本国民の家屋室内は、謀国犯罪機構機関人員の操られるままに、スーパーコンピューター（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴盗撮器が仕掛かっていた時、英国皇室と英国新聞が（見破って）告発しただけの、それだけの器量は、日本の宮内庁他、犯罪2013255771.tif 000015
携帯する時、之をコンパクトにする為、「くの字型」に折り曲げた図を立体図に示し、５．「くの字式、弦楊子付歯ブラシ（Ｔ．６５１）を携帯しようと思われる時、「くの字」から完全に折り曲げ、１８ｃｍの半分の９ｃｍ位のポケットサイズに折り畳んだ時の図を示している。６．本発明「二段スライド式コンパクト歯ブラシ」（Ｔ．６５３）をスライドさせ、全長１８ｃｍ位まで、引っ張り出して延ばせる事を表わす他、７．反対にスライドさせ、全長が１８ｃｍの半分の９ｃｍ位になる迄、押し込んで収縮させる事が出来る事を失印で示した図となる。８．本発明、「二段スライド式コンパクト歯ブラシ」（Ｔ．６５３）を半分の９ｃｍ位迄、スライドさせ、収縮した際、ブラシの部分が格納されるブラシポケットを表わす図。９．本発明「三段スライド式コンパクト歯ブラシ（Ｔ．６５４）をスライドさせ、全長１８ｃｍ位まで、引っ張り出して延ばせる事を表わす他、１０．反対にスライドさせ、全長が１８ｃｍから６ｃｍ位まで押し込んで収縮できる方向を矢印で示した図になる。１１．本発明、「三段スライド式コンパクト歯ブラシ」（Ｔ．６５４）を三段目までスライドさせ、収縮させた際、ブラシの部分が、格納されるブラシポケットを表わす図。１２．小型歯磨きチューブ。１３．小型の歯磨きチューブを入れるポケット。１４．本発明「くの字式歯磨きチューブ付き歯ブラシ（Ｔ．６５２）を全長１８ｃｍ位の長さに作り、歯磨きに使用すべき時、完全に引き延した全体図に示している全体図であるが、１５．「くの字式歯磨きチューブ付歯ブラシ」（Ｔ．６５２）を携帯する時、これをコンパクトにする為、「くの字」に折り曲げる方向を矢印で示した立体図。１６．（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明、「くの字式弦楊子付歯ブラシ（Ｔ．６５１）に備っている弦楊子の弦を使い、上前歯で押し付け、下前歯の間を掃除している所を示す図となった。  レーザ線と同調波、電波として、之に打ち込むと、それらのテレビ、携帯電話、パソコンの持つ電波と同調波となる時、テレビの前にいる人々の室内内部は、テレビ局側から、その室内、内部は丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパーコンピューターは蝿の複眼の様に進化して来た物であり、パソコンは人の眼の単眼が進化した物に似て、特願２００４−３１４７９６参照）情報処理出来るものとなり、レーザー線は、盗聴、盗撮波となり、今来た、テレビ、ラジオ、携帯電波、パソコン等の持つ高周波無線と同化し、附近の（室内）映像物を拾い、写し出し、反射し、今来た路線を正確に戻り、この国是となり、この犯罪を共同謀���する、ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って、各会社、各家庭内にある、家電品（番号）と繋がっており、これら共同謀議する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部からこの事件を告発してはならない、至上命令が出て、告発せず、最高裁判所犯罪機関が、容認した為、国是となる中、この事件を更に分り易く言えば、漁船が海底に向けて超音波を打ち込むと、超音波は跳ね返えり、今来た路を正確に戻って来て、漁船内部にあるモニター画面に、海中の状態を写し出すのに似ているが、技術は、日進月歩で進んでおり、これらの電波をアナログ波からデジタル波に（強制）変更させると、スーパーコンピューター の持つデジタル（シナプス）波と同調する、このデジタル周波数を出す、各家庭にある、テレビ、ラジオ、パソコン、携帯電話器機等を出力するデジタル周波数とは、同調波となる為、現時点で、本発明当事者、大西真実の発明品の「識別番号５０３１２２７８６号」の発明物の全てには、特許庁内で、シークレット（整理）番号、９９９９９９９９９９」番号が賦与されている事を既にマスコミ界では、広範囲で、周知されている事を特許庁側では、知らぬのみにあらず、大西真実が発明して文書化する発明品の全て、一切の物に対しては、自宅のパソコンキーボードを使用する事が出来ず、手書きで書かれて出願提出されており、これを受け取る特許庁側では、これを受け取って、特許庁内部の係官がパソコンのキーボードを叩き、電子化文章に文字変換する速度で、その全ての文章内容は、特許庁が法に基づいて開示の禁止が指定される、１．６年の年月を待たず、マスコミ宣伝部と結託する、軍事無線局他、テレビ、ラジオ、警察等の犯罪機構機関化した無線局等に瞬時に漏洩している事実関係は、本件出願提出される２０１２年１６００３号発明物品にも、不法行為が及び、多大な損害が発生している事を特許庁自体は知らず、法１８８条１、２にある、「虚偽表示の禁止」条令にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、日本国民のパニック現象が起こるべく原因となる為、プログに掲載される、検察庁、（特捜部）警察庁犯罪機関等では、主体となり、合同で事件を握り潰すべく、犯罪機関呼ばわりされても、上層部から「この事件内容を告発してはならない。」旨至上命令が出ている為、（特許庁自体）誰れもが告発できない事ですぐに分る所となり、この犯罪を見破れる科学者等は、警察庁犯罪機関が強制介入し、行政権を実力行使する、重度の統合失調（精神分裂）症扱いされて迄、グルになり、事件の握り潰しを企てられた。――中生に、天道説が当り前だった時代、地道説を唱える者は、宗教裁判にかけられ、終身刑罰が与えられるのに似る、ガリレオ、ガリレイは、「それでも地球は回っている。」と言った様に、筆者、大西真実は、「それでも日本国民の各家屋、家庭は、動物舎屋になっている。」と唱える事は、一日本人として、現代の日本国民一億二千万人と、後の子孫の生命と財産を守らならない義務があるからであって、「注意書き」として、特許庁のホームページに永久保存して書き残さねばならぬ旨、書き残されるものとなった。――しかし併、現時点の段回では、この犯罪は、スーパーコンピューター（パソコン、携帯電話器、テレビ、ラジオ等他）の持つデジタル（電子頭脳、シナプス）波と同調する、デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を、考える（思考、言動力）時、脳があらゆるパターンの脳波形を持つシナプス波記号を数値にして、スーパーコンピューター（若しくは、パソコン）に覚えさせている為、日本国民一億二千万人の持つ各家電品にある、テレビ、ラジオ、パソコン、携帯電話等が出力するデジタル周波数とは、同調波となる時、連係連同する際、何も知らないで、自宅でくつろいでいる人々と、その室内影影像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から、無作為にモニター（大西真実等他を多く）を選んで、この盗聴、盗撮物を秘かに盗み、人体実験を続ける、マスコミに垂れ流しし続ける、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパコンピューター（パソコンを含む）を介する反射波が、テレビ、ラジオ、警察（軍事）無線局等が出力発信させさせる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者であり、テレパシーモニタリング技術を見破った
【手続補正書】
【提出日】平成25年2月15日(2013.2.15)
【手続補正１】
【補正対象書類名】明細書
【補正対象項目名】００１０
【補正方法】変更
【補正の内容】
【００１０】１．本発明、「くの字式」弦楊子付き歯ブラシ（Ｔ．５６１）を全長１８ｃｍ位いの長さに作り、歯磨きに使用すべき時は、直線に完全に引き延ばした立体図＿＿＿＿＿を全体図で示したものであり、２．本発明図、歯ブラシのネックの部分は、放物線状に作り、３．放物線形状の歯ブラシの底部に糸（弦）を付ける事を目的として、弦楊子を形成している事を示した図
2013255771.tif 000016
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、国内には、およそ９億台以上あると言われている、テレビ、ラジオ、携帯電話、パソコン等の持つマイクロ波無線にレーザ線と同調波、電波として、之に打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパコンピューターは、蠅の複眼の様に進化して来た物であり、パソコンは、人の眼の単眼が進化した物に似て、特願２００４−３１４７９６参照）情報処理出来るものとなり、レーザ線は、盗聴、盗撮波となり、今来た、テレビ、ラジオ、携帯電波、パソコン等の持つ高周波無線と同化し、附近の室内映像物を拾い、写し出し、反射し、今来た路線を正確に戻り、国是となり、人体実験に勤しむ為、この犯罪を共同謀議する。
ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って、各会社、各家庭内にある家電品（番号）と繋っており、これら共同謀議する無線局等では、謀国犯罪機関が指令、指示するままに、盗聴、盗撮して、無差別自在に、閲覧する事件化した時、筆者  大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て写し出すのに似ているが、技術は、日進月歩で進んでおり、これらの電波をアナログ波からデジタル波に（強制）変更させるとスーパーコンピューターの特つデジタル（シナプス）波と同調する、このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な損害が発生している事を特許庁自体は知らず、法１８８条１、２にある、「虚偽表示の禁止」条例にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、立検したが最後、日本国民の間で大パニック現象が起こるべきして起こる原因となる為、ブログに掲載される、検察庁、（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰もが告発できな事ですぐ分る所となり、この犯罪を見破れる科学者は、警察庁犯罪機関が医師を伴い強制介入し、行政権を実力行使し、重度の統合失調（精神分裂）症扱いされて迄、グルにな���、事件の握り潰しが企てられた。――中世に天動説が当り前だった時代、地動説を唱える者は、宗教裁判にかけられ、終身刑が与えられるのに似る、ガリレオ、ガリレイは、「それでも地球は回っている。」と言った様に、筆者、大西真実は、「それでも日本国民の各家屋、家庭は、動物舎屋になっている。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。――しかし併、現時点の段回では、この犯罪は、スーパーコンピューター（パソコン、携帯電話器、テレビ、ラジオ等他）の持つデジタル（電子頭脳、シナプス）波と同調する。デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくはパソコン）に覚えさせている為、日本国民一億二千万人の持つ各家電品にある、テレビ、ラジオ、パソコン、携帯電話等が出力するデジタル周波数とは、同調波となる時、連係連同する際、何も知らないで、自宅でくつろいでいる人々と、その室内影影像は、他所で、この反射電波（レーザー）を悪用する者達の前で、筒抜けの丸見えになっている事は、一般市民の知られざる所、携帯会社では、顧客の情報秘密を厳寸する。」とウソの報導し続け、詐欺を働らき、国民の中から、無作為にモニター（大西真実等他を多く）を選んで、この盗聴、盗撮物を秘かに盗み、人体実験を続ける、マスコミに乗れ流しし続ける、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパーコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者であり、テレパシーモニタリング技術を見破った「日本国民第一級の証人対象にもなっているものであり、東京地検特捜部犯罪機関が、この事件を告発せず、握り潰すままに、最高裁判所犯罪機関が妥当、容認し、国是となっている為、事件は悪質化の一途を辿り、証人大西真実は、口塞ぎで何度も消されがかったが免れる所となっている事���事実であり、この技術は、分り易く言えば、現在、謀国にある戦闘機
2013255771.tif 000017
電波と戦闘機の持つ（ハードウェアーが出す）デジタル波が合致する際、戦闘機にある（邀撃）砲弾丸が自動的に、しかも正確にパイロットの睨んだ視点目標物に向けられて打ち込みが出来る様に動く等の技術に使われているものにも似ており、又、消費税が上がる事を前提に、日本国民１億２千万人が持つ、住所、氏名、年令、銀行口座番号を知り、国民○○に登録するを以って、定額給付金、１万２千円づつを平成年間に配布する、丸見えとなる目に余る行為を国家の指導者等は、実力行使し続け（タバコも然る物であり、）これらの事件内容は、日本国民が知らぬ間に大量発生している為、それ故、全国民をして、筆者は、何も知らないで、特許庁様が推奨される、発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民党、民主党他各党を含める共に交互に、受け継がれるままに、悪質化の一途を辿り、一般国民には隠され、受け続けるままとなり、日本国マスコミも之等の事件を知り併、日本国民には、一切報導せず、この犯罪犯行に賛同し続けたものであり、この様に、現在日本国民の家屋室内は、謀国犯罪機構機関人員の操られるままに、スーパーコンピューター（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴盗撮器が仕掛かっていた時、英国皇室と英国新聞が（見破って）告発しただけの、それだけの器量は、日本の宮内庁他、犯罪
2013255771.tif 000018
する時、之をコンパクトにする為、「くの字型」に折り曲げた図を立体図に示し、５「くの字式、弦楊子付歯ブラシ（Ｔ．６５１）を携帯しようと思われる時、「くの字」から完全に折り曲げ、１８ｃｍの半分の９ｃｍ位のポケットサイズに折り畳んだ図を示している。６．本発明「二段スライド式コンパクト歯ブラシ」（Ｔ．６５３）をスライドさせ、全長１８ｃｍ位まで、引っ張り出して延ばせる事表わす他、７．反対にスライドさせ、全長が１８ｃｍの半分の９ｃｍ位になる迄、押し込んで収縮させる事が出来る事を矢印で示した図となる。８．本発明、「二段スライド式コンパクト歯ブラシ」（Ｔ．６５３）を半分の９ｃｍ位迄、スライドさせ、収縮した際、ブラシの部分が格納されるブラシポケットを表わす図。９．本発明「三段スライド式コンパクト歯ブラシ（Ｔ．６５４）をスライドさせ、全長１８ｃｍまで、引っ張り出して延ばせる事を表わす他、１０．反対にスライドさせ、全長が１８ｃｍから６ｃｍ位まで、収宿できる方向を矢印で示した図になる。１１．本発明、「三段スライド式コンパクト歯ブラシ」（Ｔ．６５４）を三段目までスライドさせ、収縮させた際、ブラシの部分が格納されるブラシポケットを表わす図。１２．小型歯磨きチューブ。１３．小型の歯磨きチューブを入れるポケット。１４．本発明「くの字式歯磨きチューブ付き歯ブラシ（Ｔ．６５２）を全長１８ｃｍ位の長さに作り、歯磨きに使用すべき時、完全に引き延ばした全体図。＿＿＿１５．「くの字式歯磨きチューブ付歯ブラシ」（Ｔ．６５２）を携帯する時、これをコンパクトにする為、「くの字」に折り曲げる方向を矢印で示した立体図。１６．（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明、「くの字式弦楊子付歯ブラシ（Ｔ．６５１）に備っている弦楊子の弦を使い、上前歯で押し付け、下前歯の間を掃除している所を示す図となった。
【手続補正書】
【提出日】平成25年2月22日(2013.2.22)
【手続補正１】
【補正対象書類名】明細書
【補正対象項目名】００１０
【補正方法】変更
【補正の内容】
【００１０】１．本発明、「くの字式」弦楊子付き歯ブラシ（Ｔ．５６１）を全長１８ｃｍ位いの長さに作り、歯磨きに使用すべき時は、直線に完全に引き延ばした立体図＿＿＿＿＿を全体図で示したものであり、２．本発明図、歯ブラシのネックの部分は、放物線状に作り、３．放物線形状の歯ブラシの底部に糸（弦）を付ける事を目的として、弦楊子を形成している事を示した図
2013255771.tif 000019
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、超ＬＳＩの進歩により、国内には、およそ、９億台以上あると言われている、テレビ、ラジオ、携帯電話、パソコン等の持つマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパコンピューターは、蠅の複眼の様に進化して来た物であり、パソコンは、人の眼の単眼が進化した物に似て、特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を拾い、写し出し、反射し、今来た路線を正確に戻り、国是となり、人体実験に勤しむ為、この犯罪を共同謀議する。ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って、各会社、各家庭内にある家電品（番号）と繋げられる、これら共同謀議する無線局等では、謀国犯罪機関が指令、指示するままに、盗聴、盗撮して、無差別自在に、閲覧する事件化した時、筆者  大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て写し出すのに似ているが、技術は、日進月歩で進んでおり、これらの電波をアナログ波からデジタル波に（強制）変更させると、スーパーコンピューターの特つデジタル（シナプス）波と同調する、このデジタル周波数を出す、各家庭にある、テレビ、ラジオ、パソコン、携帯電話器機等を出���するデジタル周波数とは、同調波となる為、現時点で、本発明品の「識別番号５０３１２２７８６号＿の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な損害が発生している事を特許庁自体は知らず、法１８８条１、２にある、「虚偽表示の禁止」条例にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、立検したが最後、日本国民の間で大パニック現象が起こるべきして起こる原因となる為、ブログに掲載される、検察庁、（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事ですぐ分る所となり、この犯罪を見破れる科学者は、警察庁犯罪機関が医師を伴い強制介入し、行政権を実力行使し、重度の統合失調（精神分裂）症扱いされて迄、グルになり、事件の握り潰しが企てられた。――中世に天動説が当り前だった時代、地動説を唱える者は、宗教裁判にかけられ、終身刑が与えられるのに似る、ガリレオ、ガリレイは、「それでも地球は回っている。」と言った様に、筆者、大西真実は、「それでも日本国民の各家屋、家庭は、動物舎屋になってる。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。――しかし併、現時点の段回では、この犯罪は、スーパーコンピューター（パソコン、携帯電話器、テレビ、ラジオ等他）の持つデジタル（電子頭脳、シナプス）波と同調する。デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくはパソコン）に覚えさせている為、日本国民一億二千万人���持つ各家電品にある、テレビ、ラジオ、パソコン、携帯電話等が出力するデジタル周波数とは、同調波となる時、連係連同する際、何も知らないで、自宅でくつろいでいる人々と、その室内＿＿映像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から、無作為にモニター（大西真実等他を多く）を選んで、この盗聴、盗撮物を秘かに盗み、人体実験を続ける、マスコミに乗れ流しし続ける、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパーコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者でもあり、テレパシーモニタリングを見破った日本国民第一級の証人対象にもなっているものであり、東京地検特捜部犯罪機関が、この事件を告発せず、握り潰すままに、最高裁判所犯罪機関が妥当、容認し、国是となっている為、事件は悪質化の一途を辿り、証人大西真実は、口塞ぎで何度も消されがかったが（数十年来、警察、刑事（様）が厳重に身辺をガードしていて下さっていたので）免れる所となっている事も事実であり、
2013255771.tif 000020
の脳視神経にある視点（シナプス）電波と戦闘機の持つハードウェアーが出す）デジタル波が合致する際、戦闘機にある（邀撃）砲弾丸が自動的に。
しかも正確にパイロットの睨んだ視点目標物に向けられて打ち込みが出来る様に動く等の技術に使われているものにも似ており、又、消費税が上がる事を前提に、日本国民１億２千万人が持つ、住所、氏名、年令、銀行口座番号を知り、国民○○に登録するを以って、定額給付金、１万２千円づつを平成年間に配布する、丸見えとなる目に余る行為を国家の指導者等は、実力行使し続け（タバコも然る物であり、）これらの事件内容は、日本国民が知らぬ間に大量発生している為、それ故、全国民をして、筆者は、何も知らないで、特許庁様が推奨される、発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民党、民主党他各党を含める共に交互に、受け継がれるままに、悪質化の一途を辿り、一般国民には隠され、受け続けるままとなり、日本国マスコミも之等の事件を知り併、日本国民には、一切報導せず、この犯罪犯行に賛同し続けたものであり、この様に、現在日本国民の家屋室内は、謀国犯罪機構機関人員の繰られるままに、スーパーコンピューター（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴  盗撮器が仕掛かっていた時、英国皇室と英国新聞が（見破って）告発しただけの、それだけの器量は、日本の宮内庁他、犯罪
2013255771.tif 000021
する時、之をコンパクトにする為、「くの字型」に折り曲げた図を立体図に示し、５「くの字式、弦楊子付歯ブラシ（Ｔ．６５１）を携帯しようと思われる時、「くの字」から完全に折り曲げ、１８ｃｍの半分の９ｃｍ位のポケットサイズに折り畳んだ図を示している。６．本発明「二段スライド式コンパクト歯ブラシ」（Ｔ．６５３）をスライドさせ、全長１８ｃｍ位まで、引っ張り出して延ばせる事表わす他、７．反対にスライドさせ、全長が１８ｃｍの半分の９ｃｍ位になる迄、押し込んで収縮させる事が出来る事を矢印で示した図となる。８．本発明、「二段スライド式コンパクト歯ブラシ」（Ｔ．６５３）を半分の９ｃｍ位迄、スライドさせ、収縮した際、ブラシの部分が格納されるブラシポケットを表わす図。９．本発明「三段スライド式コンパクト歯ブラシ（Ｔ．６５４）をスライドさせ、全長１８ｃｍまで、引っ張り出して延ばせる事を表わす他、１０．反対にスライドさせ、全長が１８ｃｍから６ｃｍ位まで、収宿できる方向を矢印で示した図になる。１１．本発明、「三段スライド式コンパクト歯ブラシ」（Ｔ．６５４）を三段目までスライドさせ、収縮させた際、ブラシの部分が格納されるブラシポケットを表わす図。１２．小型歯磨きチューブ。１３．小型の歯磨きチューブを入れるポケット。１４．本発明「くの字式歯磨きチューブ付き歯ブラシ（Ｔ．６５２）を全長１８ｃｍ位の長さに作り、歯磨きに使用すべき時、完全に引き延ばした全体図。＿＿１５．「くの字式歯磨きチューブ付歯ブラシ」（Ｔ．６５２）を携帯する時、これをコンパクトにする為、「くの字」に折り曲げる方向を矢印で示した立体図。１６．（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明、「くの字式弦楊子付歯ブラシ（Ｔ．６５１）に備っている弦楊子の弦を使い、上前歯で押し付け、下前歯の間を掃除している所を示す図となった。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
本発明される歯ブラシは、ネックの部分を「本発明図面」と「発明図説で設明される様に放物線状に作り、放物線形状に作ったネックの底部に糸（弦）を付け、歯と歯の間に溜る歯垢を帰除させ、取り除かせる目的を持たせた弦楊子が発明される事をして、本発明される歯ブラシは使用時には、１８ｃｍ位迄の形状に引き延ばして使用する事が出来る他、使用しない時には携帯し易い様に、半分の９ｃｍ位迄の大きさに中心部から「くの字」型に、折り畳み出来る機能を付け、歯ブラシを折り曲げ切った所の、ブラシの反対方向の尻部に「ブラシ部分」を収納出来るブラシ収納ポケット」を付けた「くの字式弦楊子付歯ブラシ」（Ｔ．６５１）が発明される他、ブラシポケットの反対側の背に、歯磨きチューブを常設し、チューブを自在に出し入れ出来る、チューブ入れポケットを組み込む構造の「くの字式歯磨きチューブ付歯ブラシ」（Ｔ．６５２）が発明される請求。
【請求項２】
本発明される歯ブラシは、「本発明図面」と「本発明図説」で説明される様に、使用時には、全長１８ｃｍ位の二段構え（Ｔ．６５３号）や、三段構え（Ｔ．６５４号）にすべく、スライドさせ、引っ張り出して延ばし、直線形式で使用される物となる物であったが、使用しないで携帯する時には、全長の半分の９ｃｍ位から６ｃｍ位まで、スライド収縮させる事が出来、縮少し切った所にブラシを収納できる、ブラシポケットが発明され、ブラシポケットの反対側の背に歯磨チューブを常設し、これを自在に出し入れが出きるチューブ入れポケットを組み込む事の出来る発明品となる他、  本発明品は、幼児童等が、この歯ブラシ等を喰えたまま、歩行し、誤って前のめりに転倒する事故が発生した場合、これが原因し、急激であり、必要以上の加重が、口内に発生した場合、全長１８ｃｍ位で造られているこれらの発明される歯ブラシ等では、危険を感知し、全長の半分の９ｃｍ、若しくは、１／３の６ｃｍ位迄の長さに、急速に縮少を開始する事の出来る、「二段スライド式コンパクト安全歯ブラシ」（Ｔ．６５３号）他、「三段スライド式コンパクト安全歯ブラシ（Ｔ．６５４）と呼ばれる、新式の「歯ブラシ」が発明される請求。
【手続補正２】
【補正対象書類名】明細書
【補正対象項目名】全文
【補正方法】変更
【補正の内容】
【発明の詳細な説明】
【技術分野】
【０００１】  現代市販されている歯ブラシは大体１８ｃｍ位の長さで使られている物であり、これらの歯磨き用品は、携帯しづらく、携帯するには、長すぎる程に感じられ、歯磨きチューブも常設、常備しなければならず、それが原因で、カバン、バックの中に入れて持ち歩くには、バラバラとなり、ガサ張り、歯磨きチューブも目方があり、なかな目障りな存在となっており、持ち運びするにも不便さを感じた時、これをスライドさせるか、折り畳ませる機能を持たせたりして、伸縮、折り曲げを自在にすると、持ち運び時に、半分の９ｃｍ位のポケットサイヅの小さな物となり、弦楊子を付け、更に之れの背中に、小型の歯ブラシチューブを入れられるポケットを付ける他、歯ブラシの「ブラシ」自体を縮少時、収納できるポケットを付ける新しい技術力の多くが発生した。【０００２】  しかし併、本発明において更に、重要性のある技術力においては、現代迄の技術によって造られている凶器になるとも思われない、これら歯ブラシを幼児、児童が口に喰えたまま歩行しており、前のめりに倒れる事があった場合、歯ブラシは凶器に変わり、歯ブラシは（全）体重を伴って、喉の奥に突き刺さり、甚しい時には、脳に達する程の重症事故（事件）2013255771.tif 000022
●「二段スライド式コンパクト安全歯ブラシ」（Ｔ．６５３）  ●「三段スライド式コンパクト安全歯ブラシ」（Ｔ．６５４）では、幼児等が、この歯ブラシを口に喰えたまま、歩行しており、急に前のめりに転倒する場合があっても、口内において急激な体重が掛かる場合、本発明歯ブラシでは、一定以上の荷重が口内で発生した場合、９ｃｍ、若しくは、６ｃｍの長さに縮小する事が出来、幼児等がして、不慮の事故が発生した際、喉の奥に、これが突き刺さる危険を防止出来る、「幼児童専用の安全歯ブラシ」が出来る技術力が生じた。
【背景技術】
【０００３】  ２００９年１３５５４９非特許文献
【発明の概要】
【発明が解決しようとする課題】
【０００４】  筆者のファーストキスは１２才であった。マセていたのだがその後、学生時代は普通の学生の様に、頻繁にキスの経験はしたが、口の中は、常に清潔にしていなければならなかった。カバンの中には、常時、歯ブラシ、歯磨きチューブを入れて持ち歩いていたが、ゴロゴロして、目方があり、長い物でもあり、携帯しにくく、邪馬な物でもあった。【０００５】  しかし併、本発明品で、更に重要なのは、近年、幼児童等が、歯ブラシを喰えたまま、歩行していた時、前のめりに、体重を伴って、倒れた場合、歯ブラシは、幼児童等の喉の奥に突き刺さり、甚しい時には、脳に達っする程の重症事故（事件）例が、報告されており、社会問題化していた時、      ―――課題が生じた。
【課題を解決する為の手段】
【０００６】  そもそも、歯磨き、歯ブラシ、弦楊子とは、口の中と、歯を掃徐する衛生用品であり、常に清潔な状態にしていなければならぬ物でありながらも、現代の技術で造られている歯ブラシは、どれも平均して１８ｃｍ位に作られていて、カバン、バッグの中に入れて持ち運ぶには、長すぎて目障りであり、歯磨チューブを同時携帯するにも、不便さが生じていた時、本発明歯ブラシは、ブラシ部分にブラシ収納ポケットを付ける他、小さ目の歯磨きチューブを収納できるポケットを之の背中に付け、弦楊子も付けたが、その他に、この歯ブラシを「くの字」に折り曲げられる機能をつける他、スライド機能を付けると、携帯時には、６ｃｍか９ｃｍ位の大きさで持ち運びし易く、使用時には、１８ｃｍ位の大きさ迄引き延して使用できる物となったが、これらをして、レシピ、（秘結）では。
【０００７】本発明歯ブラシを幼児童等が口に喰えたまま、歩行し、前のめりに転倒する事があった場合や、転倒して、急激であり、必要以上の加重が口内に発生する際、これが候の奥に突き刺さる前に、この歯ブラシは、９ｃｍ、若しくは、６ｃｍ位の長さになる迄、急速に縮小を開始する、候への突き刺さりの危険を防止する事の出来る、●「二段スライド式コンパクト安全歯ブラシ」（Ｔ．６５３号）他、●「三段スライド式コンパクト安全歯ブラシ」（Ｔ．６５４号）と呼ばれるものとなった。
【発明の効果】
【０００８】  しかし併、例えを用いて言えば、現代の人々は、コンパクトチリ紙が発明されてから、人々は日常、常にチリ紙を身近において手軽にこれを使用できた様に、本発明、「屋外持ち出し用、コンパクト安全歯ブラシ」等が創作され、歯磨き用品をコンパクト化する事に成功した事により、２１世紀以後の人々は、本発明品が持ち運び中にあまりにも小さくなるので、必要時、ポケットやカバン、バッグに入れて置く事が出来、
【０００９】  ポケットサイズとなるので、いかなる行き先でも、この様に、気軽に、之を取り扱い、持ち運び自在に、できる様になたが、その分だけ、売れ筋が広がり、使用される使用範囲（通勤、通学、ドライブ、ピクニック、ハイキング等が）拡大される分だけ、幼児等が之を口に喰えて、前のめりに、転倒して怪我をする確率が増える際、歯ブラシを喰えたまま転倒した際、本発明歯ブラシは、瞬時にして、原型の１／３程に迄、瞬間縮少する効果が発生する時、候への突き刺さり事件は消減する効力が発生した。  ―歯ブラシのゴミが増える事が予想された。
【図面の簡単な説明】
【００１０】
【図１】本発明、全長を１８ｃｍ位で作る「くの字式、弦楊子付き歯ブラシ」（Ｔ．６５１）の歯ブラシのネックの部分を放物線状に作り、その底部は糸で弦を張り、弦楊子を作り、この「くの次式弦楊子付き歯ブラシ」（Ｔ．６５１）歯磨き使用時には、引張り出して、真っすぐにして使うが、携帯、持ち運び時には、中心部から「くの字」型に折り曲げて畳み込む事が出来る際、半分の９ｃｍ位いの大きさにコンパクトにする事が出来る事を立体図に表わしている事と同じく、本発明品であり、歯ブラシを１８ｃｍ位の直線型に作り、スライド式にし、歯ブラシを使用する際には、引っ張り出して歯磨きに用い、使用しない時は、スライド式に押し込んで収納できる他、幼児童等がこれを口に喰えたまま、前のめりに、転倒する事故が生じた場合でも緊急にスライドして、収納する時は、９ｃｍ位の半分位のコンパクト状になる、「二段スライド式コンパクト安全歯ブラシ」（Ｔ．６５３）が出来る時、これを立体図に示した物となるが、他に、本発明、弦楊子の口内使用例を書き表わされているものとなった。
【００１１】
【図２】本発明、全長１８ｃｍ位で作る「くの次式歯磨チューブ付き歯ブラシ」（Ｔ．６５２）の背部に歯磨チューブを入れ込んで携帯できる「くの字式歯磨きチューブ付歯ブラシ」（Ｔ．６５２）を作り、これの使用時には、真っすぐな型にして作る物とするが、使用しない時は、この歯ブラシもやはり、中心部から「くの字」に折り曲げて畳み込む事が出来る際、半分の９ｃｍ位のコンパクトな大きさにする事が出来ると共に、更に同じく、本発明品であり、歯ブラシを１８ｃｍ位の直線スライド式型に作り、歯ブラシの背部に歯磨きチューブを入れる事の出来るチューブポケットを付け、歯磨きチューブを之に入れ、スライドを三段式にした場合、幼児童がこれを口に喰えたまま、前のめりに転倒する事故が生じた場合でも緊急にスライドして、更に６ｃｍ位まで縮少させる事が出来る「三段スライド式コンパクト安全歯ブラシ」（Ｔ．６５４）が発明される図となった。
【発明を実施する為の形態】
【００１２】本発明品は、「携帯用歯磨き用品」、若しくは、「緊急時安全歯ブラシ」となる事を理想として造られており、歯を磨く時は、歯磨きし易い様に引っ張り出して、１８ｃｍ位の真っすぐな長さを保つ事が出来るプラスチック製の歯磨き用品となり、歯磨きしない（購入）時、若しくは、携帯時には、服のポケットにもこれを容易に入れられ、持ち運びし易い様にし、この歯ブラシの背中にも、小型の歯磨きチューブを常備できるポケットを付ける他、これを用いて、歯磨きをする際には、普通、歯磨きをするのにかかる、運動力学的、力の加わり方は一定のものである事が、すぐに分かる所となり、小児童等が本発明ブラシ等を喰えながら歩行しており、誤って前のめりに転倒する事があっった場合、すぐ様にも、一定以上の力が、これに加わった事を感知する、本発明歯ブラシは、６ｃｍ位、若しくは、９ｃｍ位の短かさまで、緊急縮少する事の出来た他、この様に別途（携帯）使用による、縮少させて用いる時には、これらは、大変携帯し易い物となった。
【実施例】
【００１３】
2013255771.tif 000023
ない時、歯ブラシを喰えたまま、歩行しており、誤って、前のめりに倒れ込み、歯ブラシが候の奥に突き付けられて、死2013255771.tif 000024
思い出していた。それ故、本発明品は、実際に使用する時には、１８ｃｍ位であり、携帯する時の他、不慮の事故が起こり、歯ブラシに無理な力が加わると、緊急時には、瞬時にして９ｃｍから６ｃｍ位に迄、小さく縮少するので、事故防止になる他、これを見た人々は、その安全性に驚く物となる他、カバン、バッグは疎か、服のポケットにも楽々入り、軽い物であり、持ち運びにも不便さを感じづらい物となった。
【産業上利用の可能性】
【００１４】現在、普通に販売され、人々に使用されている歯ブラシの設計は、平均して、人間の手の大きさと、口内の大きさに合わせて、大概１８ｃｍ位の大きさで造られているものであった際に起こる小義な弊害では、消費者が、之を携帯するのには、ポケットに入れにくく、ガサ張って、バックやカバンに入れても、常設、常備しにくい物であったが、本発明品では、これを大義に解釈した場合、幼児童等が、歯ブラシを喰えたまま、歩行する際、誤って、前のめりに倒れる（ファジーショック）事件が（多発）発生した場合、通常１８ｃｍ位の長さで造られている歯ブラシは、１／３程迄に（スライド式に）急速に縮少を開始し、幼児童等の候に突く刺さる事故を防ぐ事の出来る、本件は、安全歯ブラシとなる発明品である事のニーズを消費者、並びに、歯ブラシを製作、生産する業界が、之を理解した場合、（全世界の）コンビニ、スーパー、デパート、ホームセンター等の大型小売り店舗でも必ず売られるヒット商品となる事を産業界が理解した場合、産業上利用の可能性は、極めて高い物と考えられた。
【符号の説明】
【００１５】１．本発明、「くの字式」弦楊子付き歯ブラシ（Ｔ．５６１）を全長１８ｃｍ位いの長さに作り、歯磨きに使用すべき時は、直線に完全に引き延ばした立体図を全体図で示したものであり、２．本発明図、歯ブラシのネックの部分は、放物線状に作り、３．放物線形状の歯ブラシの底部に糸（弦）を付ける事を目的として、弦楊子を形成している事を示した図2013255771.tif 000025
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、超ＬＳＩの進歩により、国内には、およそ、９億台以上あると言われている、テレビ、ラジオ、携帯電話、パソコ等の持つマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパコンピューターは、蠅の複眼の様に進化して来た物であり、パソコンは、人の眼の単眼が進化した物に似て、（特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を拾い、写し出し、反射し、今来た路線を正確に戻り、国是となり、人体実験に勤しむ為、この犯罪を共同謀議する、ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って、各会社、各家庭内にある家電品（番号）と繋げられるこれら共同謀議する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て、この電波は、テレビ画像、ラジオ音声等にも変換でき、この技術は、日進月歩で進んでおり、この電話をアナログ波からデジタル波に（強制）変更させると、スーパーコンピューターの持つデジタル（シナプス）波と同調する、このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１．６年の年月を待たず、マスコミ宜伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な捐害が発生している事を特許庁自体は知らず、法１８８条１．２にある、「虚偽表示の禁止」条令にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、立件したが最後、日本国民の間で大パニック現象が起こるべきして起こる原因となる為、ブログに掲載される、検察庁（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事で、すぐ分る所となり、この犯罪を見破れる科学者は警察庁犯罪機関が医師を伴い強制介入し、行政権を実力行使し、重度の統合失調（精神分裂）症扱いされて迄、グルになり、事件の握り潰しが企てられた。――中世に天動説が当り前だった時代、地動説を唱える者は、宗教裁判にかけられ、終身刑が与えられるのに似る、ガリレオ、ガリレイは、「それでも地球は回っている。」と言った様に、筆者、大西真実は、「それでも日本国民の各家屋、家庭は動物舎屋になっている。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。――しかし併、現時点の段回では、この犯罪は、スーパーコンピューター（パソコン、携帯電話器、テレビ、ラジオ等他）の持つデジタル（電子頭脳、シナプス）波と同調する、デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくはパソコン）に覚えさせている為、日本国民一億二千万人の持つ各家電品にある、テレビ、ラジオ、パソコン、携帯電話等が出力するデジタル周波数とは、同調波となる時、連係連同する際、何も知らないで、自宅でくつろいでいる人々と、その室内＿映像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から無作為にモニター（大西真実等他を多く）を選んで、この盗聴、盗撮物を秘かに盗み、人体実験を続ける、マスコミに乗れ流しし続ける、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者でもあり、テレパシーモニタリングを見破った日本国民第一級の証人対象にもなっているものでもあり、東京地検特捜部犯罪機関が、この事件を告発せず、握り潰すままに、最高裁判所犯罪機関が妥当、容認し、国是となっている為、事件は悪質化の一途を辿り、証人大西真実は、口塞ぎて何度も2013255771.tif 000026
この技術は、分り易く言えば、某国にある戦闘機にも見られる、パイロットが炯眼装置器を使い、邀撃目標物を睨んだ時、パイロットの脳視神経にある視点（シナプス）電波と戦闘機の持つハードウェアーが出す）デジタル波が合致する際、戦闘機にある（邀撃）砲弾丸が自動的にしかも正確にパイロットの睨んだ視点目標物に向けられて打ち込みが出来る様に動く等の技術に使われているのにも似ており、又、消費税が上がる事を前提に、日本国民１億２千万人が持つ、住所、氏名、年令、銀行口座番号を知り、国民○○に登録をするを以って、定額給付金、１万２千円づつを平成年間に配布する丸見えとなる目に余る行為を国家の指導者等は、実力行使し続け（タバコも然る物であり、）これらの事件内容は、日本  日本国民が知らぬ間に大量発生している為、それ故、全国民をして、筆者は、何も知らないで、特許庁様が、推奨される発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民  民主党他、各党を含める共に交互に、受け継がれるままに、悪質化の一途を辿り、一般国民には隠され、受け続けるままとなり、日本国マスコミも之等の事件を知り併、日本国民には、一切報導せず、この犯罪犯行に賛同し続けたものであり、現在日本国民の家屋室内は、諜国犯罪機構機間人員の繰られるままに、スーパーコンピュータ（パソコン含む）の威力の前に丸見え筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴、盗撮器が仕掛っていた時、英国皇室と英国新聞が（見破って）告発しただけの器量は、日本の宮内庁他、犯罪機構機関化している日本のマスコミには、なかった。（テレプ、Ｔ．１９０参照。）  ４．本発明、「くの字式、弦楊子付歯ブラシ（Ｔ．６５１）を携帯する時、之をコンパクトにする為、「くの字型」に折り曲げた図を立体図に示し、５．「くの字式、弦楊子付歯ブラシ（Ｔ．６５１）を携帯しようと思われる時、「くの字」から完全に折り曲げ、１８ｃｍの半分の９ｃｍ位のポケットサイズに折り畳んだ図を示している。６．本発明「二段スライド式コンパクト安全ブラシ」（Ｔ．６５３）をスライドさせ、全長１８ｃｍ位まで、引っ張り出して延ばせる事を、表わす他、７．反対にスライドさせ、全長が１８ｃｍの半分の９ｃｍ位になる迄、押し込んで収縮させる事が出来る事を、矢印で示した図となる。８．本発明、「二段スライド式コンパクト安全歯ブラシ（Ｔ．６５３）をして、幼児等が歯ブラシを喰えたまま、歩行しており、誤って前のめりに倒れた場合、歯ブラシが喉に突き刺さる前に、全長の半分の９ｃｍ位に迄、瞬間的に緊急縮少した際、ブラシ部分が、ブラシ格納ポケット内に収まる事を示した図。９．本発明「三段スライド式コンパクト安全歯ブラシ（Ｔ．６５４）をスライドさせ、全長１８ｃｍまで引っ張り出して延ばせる事を表わす他、１０．反対に幼児童等がこの歯ブラシを加えたまま、歩行し、誤って前のめりに倒れる（ファジーショック）事件が発生した場合、通常、１８ｃｍ位の長さで造られている歯ブラシは、１／３程迄（スライド式）に急速に縮少を開始し、幼児童等の候に突き刺さり事件が起こる前に、未然に事故を防ぐ事の出来る事を示す図となった。１１．本発明、「三段スライド式コンパクト安全歯ブラシ（Ｔ．６５４）を三段目までスライドさせ、収縮させた際、ブラシ部分が格納されるブラシポケットを表わす図。１２．小型歯磨きチューブ。１３．小型の歯磨きチューブを入れるポケット。１４．本発明「くの字式歯磨きチューブ付歯ブラシ（Ｔ．６５２）を全長１８ｃｍ位の長さに作り、歯磨きに使用する時、完全に引き延ばした全体図。１５．「くの字式歯磨きチューブ付き歯ブラシ」（Ｔ．６５２）を携帯する時、これをコンパクトにする為、「くの字」に折り曲げる方向を矢印で示した立体図。１６．（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明、「くの字式弦楊子付歯ブラシ（Ｔ．６５１）に備っている弦楊子の弦を使い、上前歯で押し付け、下前歯の間を掃除している所を示す図となった。
【手続補正書】
【提出日】平成25年5月7日(2013.5.7)
【手続補正１】
【補正対象書類名】明細書
【補正対象項目名】００１５
【補正方法】変更
【補正の内容】
【００１５】１．本発明、「くの字式」弦楊子付き歯ブラシ（Ｔ．５６１）を全長１８ｃｍ位いの長さに作り、歯磨きに使用すべき時は、直線に完全に引き延ばした立体図を全体図で示したものであり、２．本発明図、歯ブラシのネックの部分は、放物線状に作り、３．放物線形状の歯ブラシの底部に糸（弦）を付ける事を目的として、弦楊子を形成している事を示した図2013255771.tif 000027
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており超ＬＳＩの進歩により、国内には、およそ、９億台以上あると言われている、テレビ、ラジオ、携帯電話、パソコ等の持つマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパコンピューターは、蠅の複眼の様に進化して来た物であり、パソコンは、人の眼の単眼が進化した物に似て、（特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を拾い、写し出し、反射し、今来た路線を正確に戻り、国是となり、人体実験に勤しむ為、この犯罪を共同謀議する、ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って、各会社、各家庭内にある家電品（番号）と繋げられる、これら共同謀議する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て、この電波は、テレビ画像、ラジオ音声等にも変換でき、この技術は、日進月歩で進んでおり、この電話をアナログ波からデジタル波に（強制）変更させると、スーパーコンピューターの持つデジタル（シナプス）波と同調する。このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な損害が発生している事を特許庁自体は知らず、法１８８条１、２にある、「虚偽表示の禁止」条令にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる有体は、立検したが最後、日本国民の間で大パニック現象が起こるべきして起こる原因となる為、ブログに掲載される、検察庁（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事ですぐ分る所となり、この犯罪を見破れる科学者は、警察庁犯罪機関が医師を伴い強制介入し、行政権を実力行使し、重度の統合失調（精神分裂）症扱いされて迄、グルになり、事件の握り潰しが企てられた。――中世に天動説が当り前だった時代、地動説を唱える者は、宗教裁判にかけられ、終身刑が与えられるのに似る、ガリレオ・ガリレイは、「それでも地球は回っている。」と言った様に筆者、大西真実は、「それでも日本国民の各家屋、家庭は動物舎屋になっている。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。――しかし併、現時点の段回では、この犯罪は、スーパーコンピューター（パソコン、携帯電話器、テレビ、ラジオ等他）の持つデジタル（電子頭脳、シナプス）波と同調する。デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくはパソコン）に覚えさせている為、日本国民一億二千万人の持つ各家電品にある、テレビ、ラジオ、パソコン、携帯電話等が出力するデジタル周波数とは、同調波となる時、連係連同する際、何も知らないで、自宅でくつろいでいる人々と、その室内映像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から無作為にモニター（大西真実等他を多く）を選んで、この盗聴、盗撮物を秘かに盗み、人体実験を続ける、マスコミに乗れ流しし続ける、注意したが聞かず、最高裁判所犯罪機関が容認した事である。とウソ吹き、日本国政府は、謀国が支持する、この犯罪は無い物に思わせる為『個人情報保護法案』と題するウソ八百の国是となる法案を、国民を騙す目的を以って発表したが、元々、これらの事件の元となる者は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパーコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者でもあり、テレパシーモニタリングを見破った日本国民第一級の証人対象にもなっているものであり、東京地検特捜部犯罪機関がこの事件を告発せず、握り潰すままに、最高裁判所犯罪機関が妥当、容認し、国是となっている為、事件は悪質化の一途を辿り、証人大西真実は、口塞ぎで何度も2013255771.tif 000028
この技術は分り易く言えば、謀国にある戦闘機にも見られる、パイロットが炯眼装置器を使い、邀撃目標物を睨んだ時、パイロットの脳視神経にある視点（シナプス）電波と戦闘機の持つハードウェアーが出す）デジタル波が合致する際、戦闘機にある（邀撃）砲弾丸が自動的にしかも正確にパイロットの睨んだ視点目標物に向けられて打ち込みが出来る様に動く等の技術に使われているのにも似ており、又、消費税が上がる事を前提に、日本国民１億２千万人が持つ、住所、氏名、年令、銀行口座番号を知り、国民○○に登録をするを以って、定額給付金、１万２千円づつを平成年間に配布する丸見えとなる目に余る行為を国家の指導者等は、実力行使し続け（タバコも然る物であり、）これらの事件内容は、日本日本国民が知らぬ間に大量発生している為、それ故、全国民をして、筆者は、何も知らないで、特許庁様が、推奨される発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民民主党他、各党を含める共に交互に、受け継がれるままに、悪質化の一途を辿り、一搬国民には隠され、受け続けるままとなり、日本国マスコミも之等の事件を知り併、日本国民には、一切報導せず、この犯罪犯行に賛同し続けたものであり、現在日本国民の家屋室内は、謀国犯罪機構機間人員の繰られるままに、スーパーコンピュータ（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴、盗撮器が仕掛っていた時、英国皇室と英国新聞が（見破って）告発しただけの器量は、日本の宮内庁他、犯罪機構機関化している日本のマスコミには、なかった。（テレプ、Ｔ．１９０参照。）＿＿＿＿＿  ここに書かれている犯罪事件の大綱は、日本の四権分立制度にある立法府（国会）、司法府（裁判所、検察庁）行政府（警察庁）、マスコミ（報導機関）の全てがグルになり、この犯罪機構機関の支柱となる大元を、内閣官房庁、内閣調査室に置き、謀国が指示する、本件に示される、犯罪行為を、内閣総理大臣自身が（傀儡）指揮を採って実行しているものであり、（特許庁関係者のみにあらず）本展示物（文章）を読まれる、あらゆる全ての人々が、そこに行って見れば一目瞭然に分かり、犯罪機関化した、ＮＨＫを始めとする民放（五大）テレビ（ラジオ）局による、（大西家には、風呂場や寝室にもテレビがあり、）大西真実の行く先々（風呂場で裸になっている映像を含み、携帯電話2013255771.tif 000029
容認（許可）を得て構成されている。と位置付け、大西真実（一モニター）が自宅の風呂場で裸になって、テレビ国会中経を見ていても、国会議事堂に設置されている、ＮＨＫを始めとする、テレビモニター大画面に、大西真実の裸体がその儘、中継され、一搬公開されている事実を、東京地検特捜部犯罪機関（４０２号調室）では、既にこれを、それと知り併、謀国が指示する、（内閣官房庁、内閣調査室から事件を告発してはいけない。）至上命令を受けて、この事件を隠蔽する、日本国民を騙す目的を以って、隠し続け、内閣総理大臣を筆頭とする、国会代議士達が、国会の大義堂に設置されているテレビモニター大画面に無断で写し出されていて、ＩＱ３８０を持つ大西真実の意見を見聞しながら、国会の審議をしている有り様は一目瞭然であり、大西真実を証人とし、被告人を内閣総理大臣、森（自民党）、小泉（自民党）、阿部（自民党）、阿曽（自民党）、鳩山（民主党）、野田（民主党）、阿部（自民党）をして、国会に召喚、喚問すれば、本件事件内容は、その儘、立件できるものであった。――しかし併、無知は罪である。――  今現在日本国で採用している、ハイレベルなものでは、コンピューターと連同する、レーダー網による自動防空警戒組織、ＢＡＤＧＥ（Ｂａｓｅ  Ａｉｒ  Ｄｅｆａｎｓｅ  Ｇｒｏｕｎｄ  Ｅｎｖｉｒｏｎｍｅｔ、ＢＡＤＧＥ、バッジ）システム迄であり、同じマイクロ波を使い併、周波数の違う、テレビ、ラジオ、パソコン、携帯電話他、警察、軍事無線と連同するコンピューターシステムに、同調波となるレーザ電波が侵入して来た際、警告（灯）音を発信させる事は、筆者（達）の研究では、既に可能になっているものであったが、しかし併、人々は、この事件は他人（大西真実）事だけに、降りかかっており、この様に、自在モニターに出来る事件だと思い違いをし、面白がって、人体実験に勤しむ、このマイクロ（レーザー）無線を悪用できる、警察（軍事）無線を始めとする、テレビ（ラジオ）局側、ＮＨＫ、日本テレビ、ＴＢＳ、フジテレビ、テレビ朝日、テレビ東京犯罪機関でも共同謀議する、位置付（差別）を思い込み、５０年以上も、国民を騙す目的を以って、事件の隠蔽を計り、大西真実を証人に立てて、日本国民に、この事件の内容を示し、防御システムの開発に乗り出す事の一切をせず、特に秘密の厳守を必要とする天皇家（宮内庁）のプライバシーはメチャクチャになっており、日本国自衛隊をして、今回、指摘される特許庁、出願前内容の自由漏洩（特にパソコンから漏れている。）するままに、延いては、日本国民一億二千万人の家屋室内、どこにでもある、テレビ、ラジオ、パソコン、携帯電話等の全てに対して、ピンポイントで照準を合わせられており、この電波2013255771.tif 000030
の容認する儘に、筒抜けの丸見えになって、日本国民一億二千万人の家屋は、動物舎屋になっている事が分り、天皇家のみにあらず、歴代内閣総理大臣の各自宅のテレビの置かれている部屋では、一日二十四時間単位でこの電波を悪用する者達によって、筒抜けの丸見えになっている事を知れば、大西真実を口塞ぎで消されない限り、国会に証人として召喚し、喚問せざるを得なくなった。――それ故、本文、展示物は、公序良俗に違背しては、おらず、公序良俗に違背しているのは、国、県、マスコミである事が分る時、特許法には触れず、正当なものである事が分る。又、これらの文章内容は、後に特許庁で公開される、新発明品、ドンキー（Ｔ．５７０）で、この電波機能をその様にして、動物、猫を始めとする、犬、牛、馬等の頭部に向けて照射した際、これら家畜とさえ、会話できる優れ物となる説明にもなっているものでもあった。４．本発明、「くの字式、弦楊子付歯ブラシ（Ｔ．６５１）を携帯する時、之をコンパクトにする為、「くの字型」に折り曲げた図を立体図に示し、５．「くの字式、弦楊子付歯ブラシ（Ｔ．６５１）を携帯しようと思われる時、「くの字」から完全に折り曲げ、１８ｃｍの半分の９ｃｍ位のポケットサイズに折り畳んだ図を示している。６．本発明「二段スライド式コンパクト安全ブラシ」（Ｔ．６５３）をスライドさせ、全長１８ｃｍ位まで、引っ張り出して延ばせる事を、表わす他、７．反対にスライドさせ、全長が１８ｃｍの半分の９ｃｍ位になる迄、押し込んで収縮させる事が出来る事を、矢印で示した図となる。８．本発明、「二段スライド式コンパクト安全歯ブラシ（Ｔ．６５３）をして、幼児等が歯ブラシを喰えたまま、歩行しており、誤って前のめりに倒れた場合、歯ブラシが喉に突き刺さる前に、全長の半分の９ｃｍ位に迄、瞬間的に緊急縮小した際、ブラシ部分が、ブラシ格納ポケット内に収まる事を示した図。９．本発明「三段スライド式コンパクト安全歯ブラシ（Ｔ．６５４）をスライドさせ、全長１８ｃｍまで引っ張り出して延ばせる事を表わす他、１０．反対に幼児童等がこの歯ブラシを加えたまま、歩行し、誤って前のめりに倒れる（ファジーショック）事件が発生した場合、通常１８ｃｍ位の長さで造られている歯ブラシは、１／３程迄（スライド式）に急速に縮少を開始し、幼児童等の喉に突き刺さり事件が起こる前に、未然に事件を防ぐ事の出来る事を示す図となった。１１．本発明、「三段スライド式コンパクト安全歯ブラシ（Ｔ．６５４）を三段目までスライドさせ、収縮させた際、ブラシ部分が格納されるブラシポケットを表わす図。１２．小型歯磨きチューブ。１３．小型の歯磨きチューブを入れるポケット。１４．本発明「くの字式歯磨きチューブ付歯ブラシ（Ｔ．６５２）を全長１８ｃｍ位の長さに作り、歯磨きに使用する時、完全に引き延ばした全体図。１５．「くの字式歯磨きチューブ付き歯ブラシ（Ｔ．６５２）を携帯する時、これをコンパクトにする為、「くの字」に折り曲げる方向を矢印で示した立体図。１６．（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明、「くの字式弦楊子付歯ブラシ（Ｔ．６５１）に備っている弦楊子の弦を使い、上前歯で押し付け、下前歯の間を掃除している所を示す図となった。
【手続補正書】
【提出日】平成25年5月28日(2013.5.28)
【手続補正１】
【補正対象書類名】明細書
【補正対象項目名】００１５
【補正方法】変更
【補正の内容】
【００１５】１．本発明、「くの字式」弦楊子付き歯ブラシ（Ｔ．５６１）を全長１８ｃｍ位いの長さに作り、歯磨きに使用すべき時は、直線に完全に、引き延ばした立体図を全体図で示したものであり、    ２．本発明図、歯ブラシのネックの部分は、放物線状に作り、３．放物線形状の歯ブラシの底部に糸（弦）を付ける事を目的として、弦楊子を形成している事を示した図2013255771.tif 000031
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、超ＬＳＩの進歩により、国内には、およそ、９億台以上あると言われている、テレビ、ラジオ、携帯電話、パソコ等の持つマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は日本国民が持つ、各家電品である、テレビ、ラジオ、携帯電話器、パソコンを含む９億台以上にも相当し、（分り易く言えば、スーパーコンピューターは、蠅の複眼の様に進化して来た物であり、パソコンは、人の眼の単眼が進化した物に似て、（特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を拾い、写し出し、反射し、今来た路線を正確に戻り、国是となり、人体実験に勤しむ為、この犯罪を共同謀議する。ＮＨＫ、ＴＢＳ、日本テレビ、フジテレビ、テレビ朝日、テレビ東京をして、テレビ局（六大テレビ局を含む）ラジオ局、警察無線当局他では、之等は日本国民をして、日本国民を騙す目的を以って、各会社、各家庭内にある家電品（番号）と繋げられる。これら共同謀議する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て、この電波は、テレビ画像、ラジオ音声等にも変換でき、この技術は、日進月歩で進んでおり、この電話をアナログ波からデジタル波に（強制）変更させると、スーパーコンピューターの持つデジタル（シナプス）波と同調する。このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な損害が発生している事を特許庁自体は知らず、法１８８条１、２にある、「虚偽表示の禁止」条令にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、立検したが最後、日本国民の間で大パニック現象が起こるべきして起こる原因となる為、ブログに掲載される、検察庁（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事ですぐ分る所となり、この犯罪を見破れる科学者は、警察庁犯罪機関が医師を伴い強制介入し、行政権を実力行使し、重度の統合失調（精神分裂）症扱いされて迄、グルになり、事件の握り潰しが企てられた。―中世に天動説が当り前だった時代、地動説を唱える者は、宗教裁判にかけられ、終身刑が与えられるのに似る、ガリレオ、ガリレイは、「それでも地球は回っている。」と言った様に、筆者、大西真実は、「それでも日本国民の各家屋、家庭は、動物舎屋になっている。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。―しかし併、現時点の段回では、この犯罪は、スーパーコンピューター（パソコン、携帯電話器、テレビ、ラジオ等他）の持つデジタル（電子頭脳、シナプス）波と同調する、デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、者を考える（思考、言動力）時、脳があらゆるパターンの脳波形を持つシナプス波記号を数値にして、スーパーコンピューター（若しくは、パソコン）に覚えさせている為、日本国民一億二千万人の持つ各家電品にある、テレビ、ラジオ、パソコン、携帯電話等が出力するデジタル周波数とは、同調波となる時、連携連同する際、何も知らないで、自宅でくつろいでいる人々と、その室内映像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から、無作為にモニター（大西真実等他を多く）を選んで、この盗聴、盗撮物を秘かに盗み、人体実験を続ける、マスコミに垂れ流しし続ける、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパコンピューター（パソコンを含む）を介する反射波が、テレビ、ラジオ、警察（軍事）無線局等が出力発信せせる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者でもあり、テレパシーモニタリングを見破った日本国民第一級の証人対象にもなっているものでもあり、東京地検特捜部犯罪機関が、この事件を告発せず、握り潰すままに、最高裁判所犯罪機関が妥当、容認し、国是となっている為、事件は悪質化の一途を辿り、証人大西真実は、口塞ぎて何度も2013255771.tif 000032
この技術は、分り易く言えば、謀国にある戦闘機にも見られる、パイロットが炯眼装置器を使い、邀撃目標物を睨んだ時、パイロットの脳視神経にある視点（シナプス）電波と戦闘機の持つハードウェアーが出す）デジタル波が合致する際、戦闘機にある（邀撃）砲弾丸が自動的にしかも正確にパイロットの睨んだ視点目標物に向けられて打ち込みが出来る様に動く等の技術に使われているのにも似ており、又、消費税が上がる事を前提に、日本国民１億２千万人が持つ、住所、氏名、年令、銀行口座番号を知り、国民○○に登録をするを以って、定額給付金、１万２千円づつを平成年間に配布する丸見えとなる目に余る行為を国家の指導者等は、実力行使し続け（タバコにも然る物であり、）これらの事件内容は、日本日本国民が知らぬ間に大量発生している為、それ故、全国民をして、筆者は、何も知らないで、特許庁様が、推奨される発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民民主党他、各党を含める共に交互に、受け継がれるままに、悪質化の一途を辿り、一搬国民には隠され、受け続けるままとなり、日本国マスコミも之等の事件を知り併、日本国民には、一切報導せず、この犯罪犯行に賛同し続けたものであり、現在日本国民の家屋室内は、謀国犯罪機構機関人員の繰られるままに、スーパーコンピュータ（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴、盗撮器が仕掛っていた時、英国皇室と英国新聞が（見破って）告発しただけの器量は、日本の宮内庁他、犯罪機構機関化している日本のマスコミには、なかった。（テレプ、Ｔ．１９０参照。）＿＿ここに書かれている犯罪事件の大綱は、日本の四権分立制度にある立法府（国会）、司法府（裁判所、検察庁）行政府（警察庁）、マスコミ（報導機関）の全てがグルになり、この犯罪機構機関の支柱となる大元を、内閣官房庁、内閣調査室に置き、謀国が指示する、本件に示される、犯罪行為を、内閣総理大臣自身が（傀儡）指揮を採って実行しているものであり、（特許庁関係者のみにあらず）本展示物（文章）を読まれる、あらゆる全ての人々が、そこに行って見れば一目瞭然に分かり、犯罪機関化した、ＮＨＫを始めとする民放（五大）テレビ（ラジオ）局による、（大西家には、風呂場や寝室にもテレビがあり、）大西真実の行く先々（風呂場で裸になっている映像を含み、携帯電話2013255771.tif 000033
容認（許可）を得て構成されている。と位置付け、大西真実（一モニター）が自宅の風呂場で裸になって、テレビ国会中経を見ていても、国会議事堂に設置されている、ＮＨＫを始めとする、テレビモニター大画面に、大西真実の裸体がその儘、中継され、一搬公開されている事実を、東京地検特捜部犯罪機関（４０２号調室）では、既にこれを、それと知り併、謀国が指示する、（内閣官房庁、内閣調査室から事件を告発してはいけない。）至上命令を受けて、この事件を隠蔽する、日本国民を騙す目的を以って、隠し続け、内閣総理大巨を筆頭とする、国会代議士達が、国会の大議事堂に設置されているテレビモニター大画面に無断で写し出されていて、ＩＱ３８０を持つ大西真実の意見を見聞しながら、国会の審議をしている有様は、一目瞭然であり、国会中継を見ながら、いろんな発明をして、自宅のパソコン、キーボードを叩こうものならば、ピンポイントされる儘、国会議事堂にあるパソコン他、そこに設置されている、犯罪機関化したＮＨＫを始めとする、日本テレビ、ＴＢＳ、フジテレビ、テレビ朝日、テレビ東京をする六大テレビ局の持つ、パソコン画面に、最高裁判所犯罪機関が容認した理由を得て、盗撮、盗映されている事実がある事が分り、その様に、特許庁に５０３１２２７８６番の識別番号他、整理番号９９９９９９号を持つ、大西真実の発明品が特許庁に提出されると、係官が電子化文章に変換する速度で、このマスコミが持つパソコンの中にそのままの文章で流出漏洩している事実関係は、特許庁、若しくは宮内庁が派遣する人員が実施見聞して見て下されば、本文に書かれている事件事実の重大さと、信憑性が本文、そのままの素形であり、大西真実を証人にし、被告人を内閣総理大臣、中曽根（自民党）、森（自民党）小泉（自民党）、阿部（自民党）、阿曽（自民党）、鳩山（民主党）、野田（民主党）、阿部（自民党）にして、国会に召喚し、実施検証すれすぐに立件が出来ている事で分かり、国民に大切な事を一切知らせず儘、日本の政治は、マスコミを含めて、ここ迄デタラメになっている事が分るものであったが――しかし、併、無知は罪である――。今現在日本で採用しているハイレベルなものでは、コンピューターと連動するレーダー網による自動防空警戒組織ＢＡＤＧＥ（Ｂａｓｅ  Ａｉｒ  Ｄｅｆｅｎｓｅ  Ｇｒｏｕｎｄ  Ｅｎｖｉ  Ｔｏｎｍｅｔ．ＢＡＤＧＥ、バッジ）システム迄であり、同じマイクロ波を使い併、周波数の違う、テレビ、ラジオ、パソコン、携帯電話他、警察、軍事無線等と連同するコンピューターシステムに同調波となるレーザー電波が侵入して来た際、警告（灯）音を発信させる事は筆者（達）の研究では、既に可能になっているものであったが、人々は、この事件は、他人事で、大西真実にだけに、降り掛かっている事件だけだと思い違いする、最高裁判所犯罪機関容認による、自在に出来事件だとばかり思い込み、自分の身には降りかかってはいない、と思い込み、面白がって、他、大多数を含める、何も知らないでいる、大多人数の日本国家国民を無作為に選別し、無断で、これらの人間の家屋室内をモニター画面にし、人体実験を勤しむ、このマイクロ（レーザー）無線を悪用できる、警察（軍事）無線を始めとする、テレビ、（ラジオ）局��、ＮＨＫ、日本テレビ、ＴＢＳ、フジテレビ、テレビ朝日、テレビ東京犯罪機関でも共同謀議する、位置付（差別）を思い込み、５０年以上も、国民を騙す目的を以って、事件の隠蔽を計り、大西真実を証人に立てて、日本国民に、この事件の内容を示し、防御システムの開発に乗り出す事の一切をせず、特に秘密の厳守を必要とする天皇家（宮内庁）のプライバシはメチャクチャになっており、日本国自衛隊をして、今回、指摘される、大西真実の発明品の特許内外の出願品発明内容の自由漏洩（特にパソコンから漏れている。）する儘に、延いては、日本国民一億二千万人の家屋室内、どこにでもあるテレビ、ラジオ、パソコン、携帯電話の全てに対して、スーパーコンピューター（蠅の眼）による照準合わせが出来ており、この電波をその儘打ち込められているので、（特にテレビ画面の前2013255771.tif 000034
日本国民一億二千万人の家屋室内は、動物舎屋になっている事が分り、天皇家のみあらず、歴代内閣総理大臣の各自宅のテレビ（画面）の置かれている部室では、一日二十四時間単位で、この電波を悪用する者達によって、筒抜けの丸見えになっている事を知れば、大西真実を口塞ぎで消されない限り、国会に証人として、召喚し、喚問せざるを得なくなった。又、スーパコンピューターとは何者なのか！と言えば、現在の人々が当り前の様に使用しているパソコン一台、一台を３００台以上、並列に繋いで出来る物だと考え易く、フランチャイズの超高速演算やテレビカメラに、この技術の電波を打ち込んだ際には、本文に書かれている現象以上の成果が得られるものとなった。――それ故、本文展示物は、公序良俗には違背してはおらず、全て真実の事であり、公序良に違背しているのは、国、県、マスコミである事が分る時、特許法には触れず、正当なものである事が分る。又、これらの文章内容は、後に特許庁で公開される、新発明品、ドンキー（Ｔ．５７０）で、この電波機能をその様にして、動物、猫を始めとする、犬、牛、馬、ロバ等の頭部に向けて、照射した際、これら家畜とさへ、会話できる優れ物となる説明にもなっているものでもあった。４．本発明、「くの字式、弦楊子付歯ブラシ（Ｔ．６５１）を携帯する時、之をコンパクトにする為、「くの字型」に折り曲げた図を立体図に示し、５「くの字式、弦楊子付歯ブラシ（Ｔ．６５１）を携帯しようと思われる時、「くの字」から完全に折り曲げ、１８ｃｍの半分の９ｃｍ位のポケットサイズに折り畳んだ図を示している。６．本発明「二段スライド式コンパクト安全歯ブラシ（Ｔ．６５３）をスライドさせ、全長１８ｃｍ位まで、引っ張り出して延ばせる事を表わす他、７．反対にスライドさせ、全長が１８ｃｍの半分の９ｃｍ位になる迄、押し込んで収縮させる事が出来る事を矢印で示した図となる。８．本発明、「二段スライド式コンパクト安全歯ブラシ（Ｔ．６５３）をして、幼児等が歯ブラシを喰わえたまま、歩行しており、誤って前のめりに倒れた場合、歯ブラシが喉に刺さる前に、全長の半分の９ｃｍ位に迄、瞬間的に緊急縮少した際、ブラシ部分が、ブラシ格納ポケット内に収まる事を示した図。９．本発明、「三段スライド式コンパクト安全歯ブラシ（Ｔ．６５４）をスライドさせ、全長１８ｃｍ迄引っ張り出して延ばせる事を表わす他、１０．反対に幼児等がこの歯ブラシを喰えたまま歩行し、前のめりに倒れる（ファジーショック）事件が発生した場合、通常、１８ｃｍ位の長さで造られている歯ブラシは１／３程迄（スライド式）に急速に縮少を開始し、幼児童の喉に突き刺さり事件が起こる前に、未然に事故を防ぐ事の出来る事を示す図となった。１１．本発明、「三段スライド式コンパクト安全歯ブラシ（Ｔ．６５４）を三段目までスライドさせ、収縮させた際、ブラシ部分が格納されるブラシポケットを表わす図。１２．小型歯磨チューブ。１３．小型歯磨きチューブを入れるポケット。１４．本発明「くの字式歯磨きチューブ付歯ブラシ（Ｔ．６５２）を全長１８ｃｍ位の長さに作り、歯磨きに使用する時、完全に引き延ばした全体図。１５．「くの字式歯磨きチューブ付き歯ブラシ」（Ｔ．６５２）を携帯する時、これをコンパクトにする為、「くの字」に折り曲げる方向を矢印で示した立体図。１６．（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明「くの字式弦楊子歯ブラシ（Ｔ．６５１）に備わっている弦楊子の弦を使い、上前歯で押し付け、下前歯の間を掃除している所を示す図となった。
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
現在、全長１８ｃｍ位で、直線形で統一されて作られている、歯ブラシを「本発明図面」と「本発明図説」で説明される様に、歯磨きし易い様に、歯ブラシを口内に入れた際、「入れ歯」に見られる様に、人の口内を作る歯並びが、上顎、下顎共にＵの字型に湾曲している形に対して、フィットし易様に、歯ブラシ、その物を直線形式で作るのではなく、歪曲させて造られると、歯磨きが効果的に出来る発明が成される事と共に、この歪曲形くの字式安全歯ブラシ」（Ｔ．６５１）では、使用時には、１８ｃｍ位迄の形状に引き延ばして使用出来る他、幼児等がこの歯ブラシを使用している際、誤って前のめりに倒れる時、歯ブラシの歪曲部にファジーショックが感じられる際、（この）歯ブラシは、幼児童等の喉に突き刺さる（事故が発生する）前に、急速にくの字形に折り畳みを開始する機能を付ける目的を持つ発明が成される他、この歯ブラシを使用しない時には、携帯し易い様に、１８ｃｍ位の長さで造られている歯ブラシを半分の９ｃｍ位迄の大きさに中心部から、「くの字」型に折り畳み出来る機能を付け、歯ブラシを折り曲げ切った所の、ブラシの反対方向の尻部に、「ブラシ」部分を格納出来る、ブラシ収納ポケットを付け、更に、ブラシ格納ポケットの反対側の背に、歯摩チューブを自在に出し入れ出来る、チューブ入れポケットを組み込む構造の「歪曲形ポケット付きくの字式安全歯ブラシ（Ｔ．６５１）が発明される請求。
【請求項２】
歯ブラシのネックの部分を放射線状に造った際、ネックの底部に糸（弦）を付け、歯と歯の間に溜る歯垢を帰除させ、取り除かせる目的を持たせた、くの字形、弦楊子付歯ブラシ（Ｔ．６５２）が発明される請求。
【請求項３】
本発明される歯ブラシは、ネックの部分を「本発明図面」と「発明図説で設明される様に放物線状に作り、放物線形状に作ったネックの底部に糸（弦）を付け、歯と歯の間に溜る歯垢を帰除させ、取り除かせる目的を持たせた弦楊子が発明される事をして、本発明される歯ブラシは使用時には１８ｃｍ位迄の形状に引き延ばして使用する事が出来る他、使用しない時には携帯し易い様に、半分の９ｃｍ位迄の大きさに中心部から「くの字」型に、折り畳み出来る機能を付け、歯ブラシを折り曲げ切った所の、ブラシの反対方向の尻部に「ブラシ部分」を収納出来るブラシ収納ポケット」を付けた「くの字式弦楊子付歯ブラシ」（Ｔ．６５２）が発明される他、ブラシポケットの反対側の背に、歯磨きチューブを常設し、チューブを自在に出し入れ出来る、チューブ入れポケットを組み込む構造のくの字式歯磨きチューブ付安全歯ブラシ（Ｔ．６５３）が発明される請求。
【請求項４】
本発明される歯ブラシは、「本発明図面」と「本発明図説」で説明される様に、使用時には、全長１８ｃｍ位の二段構え（Ｔ．６５５）や三段構え（Ｔ．６５６号）にすべく、スライドさせ、引っ張り出して延ばし、直線形式で使用される物となる物であったが、使用しないで携帯する時には、全長の半分の９ｃｍ位から６ｃｍ位まで、スライド収縮させる事が出来、縮小し切った所にブラシを収納できる、ブラシポケットが発明され、ブラシポケットの反対側の背に歯磨チューブを常設し、これを自在に出し入れが出きるチューブ入れポケットを組み込む事の出来る発明品となる他、  本発明品は、幼児童等が、この歯ブラシ等を喰えたまま歩行し、誤って前のめりに転倒する事故が発生した場合、これが原因し、急激であり、必要以上の加重が口内に発生した場合、全長１８ｃｍ位で造られているこれらの発明される歯ブラシ等では、危険を感知し、全長の半分の９ｃｍ、若しくは１／３の６ｃｍ位迄の長さに、急速に縮小を開始する事の出来る、「二段スライド式コンパクト安全歯ブラシ」（Ｔ，６５４号）他、「三段スライド式コンパクト安全歯ブラシ（Ｔ．６５５号）と呼ばれる、新式の「歯ブラシ」が発明される請求。
【手続補正３】
【補正対象書類名】明細書
【補正対象項目名】０００２
【補正方法】変更
【補正の内容】
【０００２】  しかし併、本発明において更に、重要性のある技術力においては、現代迄の技術によって造られている凶器になるとも思われない、これら歯ブラシを幼児、児童が口に喰えたまま歩行しており、前のめりに倒れる事があった場合、歯ブラシは凶器に変わり、歯ブラシは（全）体重を伴って、喉の奥に突き刺さり、甚しい時には、脳に達っする程の重症事故（事件）2013255771.tif 000035
●不曲形ポケット付きくの字式安全歯ブラシ（Ｔ．６５１）●くの字形弦楊子付歯ブラシ（Ｔ．６５２）●くの字式歯磨きチューブ付安全歯ブラシ（Ｔ．６５３）●「二段スライド式コンパクト安全歯ブラシ」（Ｔ．６５４）●「三段スライド式コンパクト安全歯ブラシ」（Ｔ．６５５）では、幼児等が、この歯ブラシを口に喰えたまま、歩行しており、急に前のめりに転倒する場合があっても、口内において急激な体重が掛かる場合、本発明歯ブラシでは、一定以上の荷重が口内で発生した場合、９ｃｍ、若しくは、６ｃｍの長さに縮少する事が出来、幼児等がして、不慮の事故が発生した際、喉の奥に、これが突き刺さる危険を防止出来る、「幼児童専用の安全歯ブラシ」が出来る技術力が生じた。
【手続補正４】
【補正対象書類名】明細書
【補正対象項目名】０００７
【補正方法】変更
【補正の内容】
【０００７】  本発明歯ブラシを幼児童が口に喰えたまま、歩行し、前のめりに転倒する事があった場合や、転倒して、急激であり、必要以上の加重（ファジーショック）が口内に発生する際、これが喉の奥に突き刺さる前に、「くの字」に折れ曲るかスライドする、この歯ブラシは９ｃｍ、若しくは６ｃｍ位の長さになる迄、急激に縮少を開始する、喉への突き刺さりの危険を防止する事の出来る、●「歪曲形ポケット付くの字式安全歯ブラシ（Ｔ．６５１）●くの字形弦楊子付歯ブラシ（Ｔ．６５２）、●くの字式歯磨きチューブ付歯ブラシ（Ｔ．６５３）●二段スライド式コンパクト安全歯ブラシ（Ｔ．６５４）、●三段スライド式コンパクト安全歯ブラシ（Ｔ．６５５）と呼ばれるものとなった。
【手続補正５】
【補正対象書類名】明細書
【補正対象項目名】００１１
【補正方法】変更
【補正の内容】
【００１１】
【図２】本発明、全長１８ｃｍ位で作る「くの字式歯磨チューブ付き歯ブラシ」（Ｔ．６５２）の背部に歯磨チューブを入れ込んで携帯できる「くの字式歯磨きチューブ付歯ブラシ」（Ｔ．６５２）を作り、これの使用時には、真っすぐな型にして作る物をとするが、使用しない時は、この歯ブラシもやはり、中心部から「くの字」に折り曲げて畳み込む事が出来る際、半分の９ｃｍ位のコンパクトな大きさにする事が出来ると共に、更に同じく、本発明品であり、歯ブラシを１８ｃｍ位の直線スライド式型に作り、歯ブラシの背部に歯磨きチューブを入れる事の出来るチューブポケットを付け、歯磨きチューブを之に入れ、スライド式やくの字式にした場合、幼児童がこれを口に喰えたまま、前のめりに転倒する事故が生じた場合でも緊急にスライドして、縮少するものとなった。
【手続補正６】
【補正対象書類名】明細書
【補正対象項目名】００１５
【補正方法】変更
【補正の内容】
【００１５】１．本発明、「くの字式」弦楊子付き歯ブラシ（Ｔ．５６１）を全長１８ｃｍ位いの長さに作り、歯磨きに使用すべき時は、直線に完全に引き延ばした立体図を全体図で示したものであり、２．本発明図、歯ブラシのネックの部分は、放物線状に作り、３．放物線形状の歯ブラシの底部に糸（弦）を付ける事を目的として、弦楊子を形成している事を示した図2013255771.tif 000036
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関が、それらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、超ＬＳＩの進歩により、国内には、およそ、９億台以上あると言われている、テレビ、ラジオ、携帯電話、パソコ等の持つマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパコンピューターは、蠅の複眼の様に進化して来た物であり、パソコンは、人の眼の単眼が進化した物に似て、（特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を拾い、写し出し、反射し、今来た路線を正確に戻り、国是となり、人体実験に勤しむ為、この犯罪を共同謀議する、ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って、各会社、各家庭内にある家電品（番号）と繋げられる、これら共同謀議する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て、この電波は、テレビ画像、ラジオ音声等にも変換でき、この技術は、日進月歩で進んでおり、この電話をアナログ波からデジタル波に（強制）変更させると、スーパーコンピューターの特つデジタル（シナプス）波と同調する、このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な損害が発生している事を特許庁自体は知らず、法１８８条１、２にある、「虚偽表示の禁止」条令にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、立検したが最後、日本国民の間で大パニック現象が起こるべきして起こる原因となる為、ブログに掲載される、検察庁（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事ですぐ分る所となり、この犯罪を見破れる科学者は、警察庁犯罪機関が医師を伴い強制介入し、行政権を実力行使し、重度の統合失調（精神分裂）症扱いされて迄、グルになり、事件の握り潰しが企てられた。――中世に天動説が当り前だった時代、地動説を唱える者は、宗教裁判にかけられ、終身刑が与えられるのに似る、ガリレオ・ガリレイは、「それでも地球は回っている。」と言った様に、筆者、大西真実は、「それでも日本国民の各家屋、家庭は、動物舎屋になっている。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。――しかし併、現時点の段回では、この犯罪はスーパーコンピューター（パソコン、携帯電話器、テレビ、ラジオ等他）の持つデジタル（電子頭脳、シナプス）波と同調する。デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくは、パソコン）に覚えさせている為、日本国民一億二千万人の持つ各家電品にある、テレビ、ラジオ、パソコン、携帯電話等が出力するデジタル周波数とは、同調波となる時、連係連同する際、何も知らないで、自宅でくつろいでいる人々と、その室内映像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から無作為にモニター（大西真実等他を多く）を選んで、この盗聴、盗撮物を秘かに盗み、人体実験を続けるマスコミに垂れ流しし続ける、注意したが聞かず、最高裁判所犯罪機関が容認した事である。とウソ吹き、日本国政府は謀国が支持する、この犯罪は無い物に思わせる為『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機．Ｔ．７３０参照）エーリアンと人間との間に通訳に使われた物であり、これは人動物の脳が生活時に出すシナプス、デジタル電波にスーパコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは音声変換させる事が出来る様になっている事は、大西真実は、この技術者でもあり、テレパシーモニタリングを見破った日本国民第一級の証人対象にもなっているものでもあり、東京地検特捜部犯罪機関が、この事件を告発せず握り潰すままに、最高裁判所犯罪機関が妥当、容認し、国是となっている為、事件は悪質化の一途を辿り、証人大西真実は口塞ぎで何度も2013255771.tif 000037
この技術は分り易く言えば、謀国にある戦闘機にも見られる、パイロットが炯眼装置器を使い、邀撃目標物を睨んだ時、パイロットの脳視神経にある視点（シナプス）電波と戦闘機の持つハードウェアーが出す）デジタル波が合致する際、戦闘機にある（邀撃）砲弾丸が自動的にしかも正確にパイロットの睨んだ視点目標物に向けられて打ち込みが出来る様に動く等の技術に使われているのにも似ており、又、消費税が上がる事を前提に、日本国民１億２千万人が持つ、住所、氏名、年令、銀行口座番号を知り、国民○○に登録をするを以って、定額給付金、１万２千円づつを平成年間に配布する丸見えとなる目に余る行為を国家の指導者等は、実力行使し続け（タバコも然る物であり、）これらの事件内容は、日本日本国民が知らぬ間に大量発生している為、それ故、全国民をして、筆者は、何も知らないで、特許庁様が、推奨される発明品のパソコン書きは（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民民主党他、各党を含める共に交互に、受け継がれるままに、悪質化の一途を辿り、一搬国民には隠され、受け続けるままとなり、日本国マスコミも之等の事件を知り併、日本国民には一切報導せず、この犯罪犯行に賛同し続けたものであり、現在日本国民の家屋室内は、謀国犯罪機構機間人員の繰られるままに、スーパーコンピューター（パソコンを含む）の威力の前に丸見えの筒抜けとなる動物舎屋同然となっているものであり、発明家でもある筆者の発明創作物は、この様にして盗まれ続けているので、特許出願前に既に市場に出回っているものさへあった。しかし併、かって英国皇室に盗聴、盗撮器が仕掛っていた時、英国皇室と英国新聞が（見破って）告発しただけの器量は、日本の宮内庁他、犯罪機構機関化している日本のマスコミにはなかった。（テレプ、Ｔ．１９０参照。）  ここに書かれている犯罪事件の大網は、日本の四権分立制度にある立法府（国会）、司法府（裁判所、検察庁）行政府（警察庁）、マスコミ（報道機関）の全てがグルになり、この犯罪機構機関の支柱となる大元を内閣官房庁、内閣調査室に置き、謀国が指示する、本件に示される、犯罪行為を、内閣総理大臣自身が（傀儡）指揮を採って実行しているものであり、（特許庁関係者のみにあらず）本展示物（文章）を読まれる、あらゆる全ての人々が、そこに行って見れば一目瞭然に分かり、犯罪機関化したＮＨＫを始めとする民放（五大）テレビ（ラジオ）局による、（大西家には、風呂場や寝室にもテレビがあり、）大西真実の行く先々（風呂場で裸になっている映像を含み、携帯電話2013255771.tif 000038
容認（許可）を得て構成されている。と位置付け、大西真実（一モニター）が自宅の風呂場で裸になってテレビ国会中継を見ていても、国会議事堂に設置されている、ＮＨＫを始めとするテレビモニター大画面に、大西真実の裸体がその儘、中継され、一搬公開されている事実を、東京地検特捜部犯罪機関（４０２号調室）では、既にこれを、それと知り併、謀国が指示する、（内閣官房庁、内閣調査室から事件を告発してはいけない。）至上命令を受けて、この事件を隠蔽する、日本国民を騙す目的を以って、隠し続け、内閣総理大臣を筆頭とする、国会代議士達が、国会の大議事堂に設置されているテレビモニター大画面に無断で写し出されていて、ＩＱ３８０を持つ大西真実の意見を見聞しながら、国会の審議をしている有様は、一目瞭然であり、国会中継を見ながら、いろんな発明をして、自宅のパソコン、キーボードを叩こうものならば、ピンポイントされる儘、国会議事堂にあるパソコン他、そこに設置されている、犯罪機関化したＮＨＫを始めとする、日本テレビ、ＴＢＳ、フジテレビ、テレビ朝日、テレビ東京をする六大テレビ局の持つ、パソコン画面に、最高裁判所犯罪機関が容認した理由を得て、盗撮、盗映されている事実がある事が分り、その様に、特許庁に５０３１２２７８６番の識別番号他、整理番号９９９９９９号を持つ、大西真実の発明品が特許庁に提出されると、係官が、電子化文章に変換する速度で、このマスコミが持つパソコンの中にそのままの文章で流出漏洩している事実関係は、特許庁、若しくは宮内庁が派遺する人員が実施見聞して見て下されば、本文に書かれている事件事実の重大さと、信憑性が本文、そのままの素形であり、大西真実を証人にし、被告人を内閣総理大臣、中曽根（自民党）、森（自民党）  小泉（自民党）、阿部（自民党）、阿曽（自民党）、鳩山（民主党）、野田（民主党）、阿部（自民党）にして、国会に召喚し、実施検証すれすぐに立件が出来ている事で分かり、国民に大切な事を一切知らせず儘、日本の政治は、マスコミを含めて、ここ迄デタラメになっている事が分るものであったが――しかし併、無知は罪である――今現在日本で採用しているハイレベルなものでは、コンピューターと連同するレーダー網による自動防空警戒組織ＢＡＤＧＥ（Ｂａｓｅ  Ａｉｒ  Ｄｅｆｅｎｓｅ  Ｇｒｏｕｎｄ  Ｅｎｖｉｒｏｎｍｅｎｔ．ＢＡＤＧＥ、バッジ）システム迄であり、同じマイクロ波を使い併、周波数の違う、テレビ、ラジオ、パソコン、携帯電話他、警察、軍事無線等と連同するコンピューターシステムに同調波となるレーザー電波が侵入して来た際、警告（灯）音を発信させる事は、筆者（達）の研究では、既に可能になっているものであったが、人々は、この事件は、他人事で、大西真実にだけに、降り掛かっている事件だけだと思い違いする、最高裁判所犯罪機関容認による、自在に出来事件だとばかり思い込み、自分の身には振りかかってはいない、と思い込み、面白がって、他、大多数を含める、何も知らないでいる、大多人数の日本国家国民を無作為に選別し、無断で、これらの人間の家屋室内をモニター画面にし、人体実験を勤しむ、このマイクロ（レーザー）無線を悪用できる、警察（軍事）無線を始めとする、テレビ（ラジオ）局側、��ＨＫ、日本テレビ、ＴＢＳ、フジテレビ、テレビ朝日、テレビ東京犯罪機関でも共同謀議する、位置付（差別）を思い込み、５０年以上も、国民を騙す目的を以って、事件の隠蔽を計り、大西真実を証人に立てて、日本国民に、この事件の内容を示し、防御システムの開発に乗り出す事の一切をせず、特に秘密の厳守を必要とする天皇家（公内庁）のプライバシはメチャクチャになっており、日本国自衛隊をして、今回、指摘される、大西真実の発明品の特許内外の出願品発明内容の自由漏洩（特にパソコンから漏れている。）する儘に、延いては、日本国民一億二千万人の家屋室内、どこにでもあるテレビ、ラジオ、パソコン、携帯電話の全てにに対して、スーパーコンピューター（蠅の眼）による照準合わせが出来ており、この電波をその儘打ち込められているので、（特にテレビ画面の前2013255771.tif 000039
日本国民一億二千万人の家屋室内は、動物舎屋になっている事が分り、天皇家のみあらず、歴代内閣総理大臣の各自宅のテレビ（画面）の置かれている部室では、一日二十四時間単位で、この電波を悪用する者達によって、筒抜けの丸見えになっている事を知れば、大西真実を口塞ぎで消されない限り、国会に証人として、召喚し、喚問せざる得なくなった。又、スーパーコンピューターとは、何者なのか！と言えば、現在の人々が当り前の様に使用しているパソコン一台、一台を３００台以上、並列に繋いで出来る物たと考え易く、フランチャイズの超高速演算やテレビカメラに、この技術の電波を打ち込んだ際には、本文に書かれている現象以上の成果が得られるものとなった。――それ故、本文展示物は、公序良俗には違背してはおらず、全て真実の事であり、公序良に違背しているのは、国、県、マスコミである事が分る時、特許法には触れず、正当なものである事が分る。又、これらの文章内容は、後に特許庁で公開される新発明品、ドンキー（Ｔ．５７０）で、この電波機能をその様にして、動物、猫を始めとする、犬、牛、馬、ロバ等の頭部に向けて、照射した際、これら家畜とさへ、会話できる優れ物となる説明にもなっているものでもあった。４．本発明「くの字式、弦楊子付歯ブラシ（Ｔ．６５２）を携帯する時、之をコンパクトにする為「くの字型」に折り曲げた図を立体図に示し、５．「くの字式、弦楊子付歯ブラシ（Ｔ．６５２）を携帯しようと思われる時、「くの字」から完全に折り曲げ、１８ｃｍの半分の９ｃｍ位のポケットサイズに折り畳んだ図を示している。６．本発明「二段スライド式コンパクト安全歯ブラシ（Ｔ．６５４）をスライドさせ、全長１８ｃｍ位まで、引っ張り出して延ばせる事を表わす他、７．反対にスライドさせ、全長が１８ｃｍの半分の９ｃｍ位になる迄、押し込んで収縮させる事が出来る事を矢印で示した図となる。８．本発明、「二段スライド式コンパクト安全歯ブラシ（Ｔ．６５４）をして、幼児等が歯ブラシを喰わえたまま歩行しており、誤って前のめりに倒れた場合、歯ブラシが喉に刺さる前に、全長の半分の９ｃｍ位に迄、瞬間的に緊急縮少した際、ブラシ部分が、ブラシ格納ポケット内に収まる事を示した図。９．本発明、「三段スライド式コンパクト安全歯ブラシ（Ｔ．６５５）をスライドさせ、全長１８ｃｍ迄引っ張り出して延ばせる事を表わす他、１０．反対に幼児等がこの歯ブラシを喰えたまま歩行し、前のめりに倒れる（ファジーショック）事件が発生した場合、通常、１８ｃｍ位の長さで造られている歯ブラシは、１／３程迄（スライド式）に急速に縮少を開始し、幼児童の喉に突き刺さり事件が起こる前に未然に事故を防ぐ事の出来る事を示す図となった。１１．本発明、「三段スライド式コンパクト安全歯ブラシ（Ｔ．６５５）を三段目までスライドさせ、収縮させた際、ブラシ部分が格納されるブラシポケットを表わす図。１２．小型歯磨チューブ。１３．小型歯磨きチューブを入れるポケット。１４．本発明「くの字式歯磨きチューブ付安全歯ブラシ（Ｔ．６５３）を全長１８ｃｍ位の長さに作り、歯磨きに使用する時、完全に引き延ばした全体図。１５．くの次式歯磨きチューブ付安全歯ブラシ（Ｔ．６５４）を携帯する時、これをコンパクトにする為、「くの字」に折り曲げる方向を矢印で示した立体図。１６．（Ｔ．６５１）（Ｔ．６５２）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明「くの字式弦楊子付歯ブラシに備っている弦楊子の弦を使い、上前歯で押し付け、下前歯の間を掃除している所を示す図となった。１９  現在、１８ｃｍ位の直線で造られている歯ブラシの、２０  柄の部分を弓なりの歪曲形にして造り、２１．湾曲（入れ歯で実験）形にして造ると、２２．歯磨きをする際、前歯では、ブラシの毛先が、前歯の隙間に、よく入り込んで、よく磨け、２３．奥歯では、歯と歯並びによくフィットして、効率よく磨ける事を示す図となるが、２４．幼児等が、この歯ブラシを喰えた儘、歩行し、誤って、転倒する事故が発生した場合、これが原因し、急激であり、必要以上の加重が口内に発生した場合、２５．全長１８ｃｍ位で造られている、この発明歯ブラシは危険（ファジーショック）を感知し、全長の半分の９ｃｍ位の長さに急速に折れ込んで縮少される物となる他、本発明される、歪曲形くの字式安全歯ブラシ（Ｔ．６５１）を携帯しようと思われる時、２６．歯磨きチューブを附属する、ポケットに入れて、背負い込ませ、２７．携帯し易い様に、完全に、１８ｃｍ位から、半分の９ｃｍのポケットサイズの大きさ迄、折り畳みを完了できる、新式の「歯ブラシ」が発明された図を示す物となった。
【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
現在、全長１８ｃｍ位で、直線形で統一されて作られている、歯ブラシを「本発明図面」と「本発明図説」で説明される様に、歯磨きし易い様に、歯ブラシを口内に入れた際、「入れ歯」に見られる様に、人の口内を作る歯並びが、上顎、下顎共にＵの字型に湾曲している形に対して、フィットし易様に、歯ブラシ、その物を直線形式で作るのではなく、歪曲させて造られると、歯磨きが効果的に出来る発明が成される事と共に、この歪曲形くの字式安全歯ブラシ」（Ｔ．６５１）では、使用時には、歪曲した、１８ｃｍ位迄の形状に引き延ばして使用出来る他、幼児等がこの歯ブラシを使用している際、誤って前のめりに倒れる時、歯ブラシの歪曲部にファジーショックが感じられる際、（この）歯ブラシは、幼児童等の喉に突き刺さる（事故が発生する）前に、急速にくの字形に折り畳みを開始する機能を付ける目的を持つ発明が成される他、その様に、この歯ブラシを使用しない時には、携帯し易い様に、１８ｃｍ位の長さで造られている歯ブラシを半分の９ｃｍ位迄の大きさに中心部から、「くの字」型に折り畳み出来る機能を付け、歯ブラシを折り曲げ切った所の、ブラシの反対方向の尻部に、「ブラシ」部分を格納出来る、ブラシ収納ポケットを付け、更に、ブラシ格納ポケットの反対側の背に、歯摩チューブを自在に出し入れ出来る、チューブ入れポケットを組み込む構造の「歪曲形ポケット付きくの字式安全歯ブラシ（Ｔ．６５１）が発明される請求。
【請求項２】
本発明される歯ブラシは、ネックの部分を「本発明図面」と「発明図説」で説明される様に放物線上に作り、放物線形状に作ったネックの底部に糸（法）を付け、歯と歯の間に溜る歯垢を帰除させ、取り除かせる目的を持たせた弦楊子が発明される事をして、本発明される歯ブラシは使用時には、１８ｃｍ位迄の形状に引き延ばして使用する事が出来る他、この歯ブラシでは、幼児等が使用していて、急激に起こる不慮の事故が生じた際、本発明、「くの字式弦楊子付歯ブラシ（Ｔ．６５２）では、急速に、この歯ブラシをくの字に折り曲げるべく、歯ブラシの柄の部分に孔空を開け、軸支点が移動させ、緊急折り曲げが可能となるファジーショック感知センサーが発明される請求をして、本発明歯ブラシでは、歯ブラシを折り曲げ切った所のブラシの反対方向の尻部に、「ブラシ部分」を収納出来る「ブラシ収納ポケット」を付けた「くの字式弦楊子付歯ブラシ」（Ｔ．６５２）が発明される他、ブラシポケットの反対側の背に、歯磨きチューブを常設し、チューブを自在に出し入れ出来るチューブ入れポケットを組み込む構造のくの字式歯磨きチューブ付安全歯ブラシ（Ｔ．６５３）が発明される請求。
【請求項３】
本発明される歯ブラシは、「本発明図面」と「本発明図説」で説明される様に、使用時には、全長１８ｃｍ位の二段構え（Ｔ．６５５）や、三構え（Ｔ．６５６号）にすべく、スライドさせ、引っ張り出して延ばし、直線形式で使用される物となる物であったが、使用しないで携帯する時には、全長の半分の９ｃｍ位から６ｃｍ位まで、スライド収縮させる事が出来、縮少し切った所にブラシを収納できる、ブラシポケットが発明され、ブラシポケットの反対側の背に歯磨チューブを常設し、これを自在に出し入れが出来るチューブ入れをポケットを組み込む事の出来る発明品となる他、
本発明品は、幼児童等が、この歯ブラシ等を喰えたまま、歩行し、誤って前のめりに転倒する事故が発生した場合、これが原因し、急激であり、必要以上の加重が、口内に発生した場合、全長１８ｃｍ位で造られているこれらの発明される歯ブラシ等では、危険を感知し、全長の半分の９ｃｍ、若しくは、１／３の６ｃｍ位迄の長さに、急速に縮少を開始する事の出来る、「二段スライド式コンパクト安全歯ブラシ」（Ｔ．６５４号）他、「三段スライド式コンパクト安全歯ブラシ（Ｔ．６５５号）と呼ばれる、新式の「歯ブラシ」が発明される請求。
【手続補正２】
【補正対象書類名】明細書
【補正対象項目名】００１０
【補正方法】変更
【補正の内容】
【００１０】
【図１】  本発明、全長を１８ｃｍ位で作る「くの字形」、弦楊子付歯ブラシ（Ｔ．６５２）の歯ブラシのネックの部分を放射線状に造り、それは、取っ手にする目的を持たせる他、その底部に糸を張り、弦楊子にする目的を以って、之を造り、この「くの字形弦楊子付歯ブラシ」（Ｔ．６５２）を歯磨き使用時には、引っ張り出して真っすぐに使うが、幼児童が之を使用し、不慮の事故に遭偶した際には、ファジーショック力吸収センサーが働き中心部から、急速に、くの字形に折れ曲がり、縮少する事で危険を回避する事が出来る発明となる他、通常、この歯ブラシを携帯し、持ち運びする時には、中心部から「くの字」型に折り曲げて畳み込む事が出来る際、半分の９ｃｍ位の大きさにコンパクトにする事が出来る事を立体図に表わしている事が示される他、歯ブラシをスライド式にし、歯ブラシをする際には、引っ張り出して歯磨きに用い、使用しないときはスライド式に押し込んで収納出来る他、歯ブラシにポケットを付ける物となったが、幼児童等がこれを口に喰えた儘、前のめりに転倒する事故が生じた場合でも、緊急にスライドして、収納する時は、９ｃｍ位の半分位のコンパクト状に縮小する「二段スライド式コンパクト安全歯ブラシ（Ｔ．６５４）や、６ｃｍ位迄に縮少する、「三段スライド式コンパクト安全歯ブラシ（Ｔ．６５５）にも出来る時、これを立体図に示した物となるが、他に、本発明、弦楊子による、口内使用例も書き表わされているものとなった。
【手続補正３】
【補正対象書類名】明細書
【補正対象項目名】００１１
【補正方法】変更
【補正の内容】
【００１１】
【図２】  本発明、全長１８ｃｍ位で作る「くの字式歯磨きチューブ付安全歯ブラシ（Ｔ．６５３）の背部に背部に歯磨チューブを入れ込んで携帯できる、歯ブラシを作った時、歯ブラシの柄を、直線形式で造る物と、歪曲線形式で造る「歪曲形ポケット付きくの字式安全歯ブラシ」（Ｔ．６５１）の二種類の歯ブラシの種類が示される図となったが、いずれの歯ブラシにしても、幼児童等が、この発明される歯ブラシを口に喰えた儘、前のめりに転倒する事故が生じた場合、喉に突き刺さり事件防止すべく、半分の９ｃｍ位に迄、緊急縮少し、真っ二つに折れ曲がるべく、歯ブラシの柄の中心部に、ファジーショック力を吸収する、安全装置（ストッパー）が取り付けられている事を示す図となったが、歯ブラシを歪曲形にすると、口内の歯磨き効率、効果が良くなる事を入れ歯を使って、実験している所を示す図にもなった。
【手続補正４】
【補正対象書類名】明細書
【補正対象項目名】００１５
【補正方法】変更
【補正の内容】
【００１５】１．本発明、くの字式＿弦楊子付き歯ブラシ（Ｔ．５６２）を全長１８ｃｍ位いの長さに作り、歯磨きに使用すべき時は、直線に完全に引き延ばした立体図を全体図で示したものであり、２．本発明図、歯ブラシのネックの部分は、放物線状に作り、３．放物線形状の歯ブラシの底部に糸（弦）を付ける事を目的として、弦楊子を形成している事を示した図
2013255771.tif 000040
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国民にとっては、都合の悪いあらゆる犯罪事件を握り潰す事件を引き起こし、マスコミ（宣伝部）と結託して事件を拡大させ、更には、犯罪機関化した最高裁判所犯罪機関がそれらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、超ＬＳＩの進歩により、国内には、およそ、９億台以上あると言われている、テレビ、ラジオ、携帯電話、パソコ等の持つマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパーコンピューターは、蠅の複眼の様に進化して来た物であり、パソコンは、人の眼の単眼が進化した物に似て、（特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を広い、写し出し、反射し、今来た路線を正確に戻り、国是となり、人体実験に勤しむ為、この犯罪を共同謀義する、ＮＨＫ、ＴＢＳ、日本テレビ、フジテレビ、テレビ朝日、テレビ東京をして、テレビ局（六大テレビ局を含む）ラジオ局、警察無線当局他では、之等は、日本国民をして、日本国民を騙す目的を以って各会社、各家庭内にある家電品（番号）と繋げられる、これら共同謀義する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部から、この事件を告発しては、ならない至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て、この電波は、テレビ画像、ラジオ音声等にも変換でき、この技術は、日進月歩で進んでおり、この電話をアナログ波からデジタル波に（強制）変更させると、スーパーコンピューターの特つデジタル（シナプス）波と同調する。このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な捐害が発生している事を特許庁自体は知らず、法１８８条１、２にある「虚偽表示の禁止」条令にある、本件に書かれる展示文（章）には、虚偽を表示する事が出来ない事から、ここに書いてある文章の内容は全て真実の事であり、あまりにも多く（２５万人）の人員が、この事件に関与し、膨大に膨れ上がり、この事件をその通りに見て、認識し、立件、検証できる、有体は、立検したが最後、日本国民の間で大パニック現象が起こるべきして起こる原因となる為、ブログに掲載される、検察庁（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事ですぐ分る所となり、この犯罪を見破れる科学者は、警察庁犯罪機関が医師を伴い強制介入し、行政権を実力行使し、重度の統合失調（精神分裂）症扱いされて迄、グルになり、事件の握り潰しが企てられた。――中世に天動説が当り前だった時代、地動説を唱える者は、宗教裁判にかけられ、終身刑が与えられるのに似る、ガリレオ、ガリレイは、「それでも地球は回っている。」と言った様に、筆者、大西真実は、「それでも日本国民の各家屋、家庭は動物舎屋になっている。」と唱える事は、一日本人として、現代の日本国民一億二千万人と、後の子孫の生命と財産を守らなければならない義務があるからであって、「注意書き」として、特許庁のホームページに永久保存して書き残さねばならぬ旨、書き残されるものとなった。――しかし併、現時点の段回では、この犯罪は、スーパーコンピューター（パソコン、携帯電話器、テレビ、ラジオ等他）の持つデジタル（電子頭脳、シナプス）波と同調する、デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくはパソコン）に覚えさせている為、日本国民一億二千万人の持つ各家電品にある、テレビ、ラジオ、パソコン、携帯電話器等が出力するデジタル周波数とは、同調波となる時、連係連同する際、何も知らないで、自宅でくつろいでいる人々と、その室内映像は、他所で、この反射電波（レーザー）を悪用する者達の前で、筒抜けの丸見えになっている事は一搬市民が知られざる所、携帯会社では、顧客の情報秘密を厳寸する。」とウソの報導し続け、詐欺を働らき、国民の中から無作為にモニター（大西真実等他を多く）を選んで、この盗聴、盗撮物を秘かに盗み、人体実験を続ける、マスコミに垂れ流しし続ける、注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパーコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者でもあり、テレパシーモニタリングを見破った日本国民第一級の証人対象にもなっているものでもあり、東京地検特捜部犯罪機関が、この事件を告発せず、握り潰すままに、最高裁判所犯罪機関が妥当、容認し、国是となっている為、事件は悪質化の一途を辿り、証人大西真実は、口塞ぎて何度も
2013255771.tif 000041
この技術は、分り易く言えば、謀国にある戦闘機にも見られる、パイロットが炯眼装置器を使い、邀撃目標物を睨んだ時、パイロットの脳視神経にある視点（シナプス）電波と戦闘機の持つハードウェアーが出す）デジタル波が合致する際、戦闘機にある（邀撃）砲弾丸が自動的にしかも正確にパイロットの睨んだ視点目標物に向けられて打ち込みが出来る様に動く等の技術に使われているのにも似ており、又、消費税が上がる事を前提に、日本国民１億２千万人が持つ、住所、氏名、年令、銀行口座番号を知り、国民○○に登録をするを以って、定額給付金、１万２千円づつを平成年間に配布する丸見えとなる目に余る行為を国家の指導者等は、実力行使し続け（タバコも然る物であり、）これらの事件内容は、日本日本国民が知らぬ間に大量発生している為、それ故、全国民をして、筆者は、何も知らないで、特許庁様が、推奨される発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会の少しづつ漏れ出し、自民党は過半数割れするものとなったが、これらの事件は、現在も、自民民主党他、各党を含める共に交互に、受け継がれるままに、悪質化の一途を辿り、一搬国民には隠され、受け続けるままとなり、日本国マスコミも之等の事件を知り併、日本国民には、一切報導せず、この犯罪犯行に賛同し続けたものであり、現在日本国民の家屋室内は、謀国犯罪機構機間人員の繰られるままに、スーパーコンピュータ（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴、盗撮器が仕掛っていた時、英国皇室と英国新聞が（見破って）告発しただけの器量は、日本の宮内庁他、犯罪機構機関化している日本のマスコミには、なかった。（テレプ、Ｔ．１９０参照。）
ここに書かれている犯罪事件の大綱は、日本の四権分立制度にある立法府（国会）、司法府（裁判所、検察庁）行政府（警察庁）、マスコミ（報道機関）の全てがグルになり、この犯罪機構機関の支柱となる大元を、内閣官房庁、内閣調査室に置き、謀国が指示する、本件に示される、犯罪行為を、内閣総理大臣自身が（傀儡）指揮を採って実行しているものであり、（特許庁関係者のみにあらず）本展示物（文章）を読まれる、あらゆる全ての人々が、そこに行って見れば一目瞭然に分かり、犯罪機関化した、ＮＨＫを始めとする民放（五大）テレビ（ラジオ）局による、（大西家には、風呂場や寝室にもテレビがあり、）大西真実の行く先々（風呂場で裸になっている映像を含み、携帯電話
2013255771.tif 000042
容認（許可）を得て構成されている。と位置付け、大西真実（モニター）が自宅の風呂場で裸になって、テレビ国会中経を見ていても、国会議事堂に設置されている、ＮＨＫを始めとする、テレビモニター大画面に、大西真実の裸体がその儘、中継され、一搬公開されている事実を、東京地検特捜部犯罪機関（４０２号調室）では、既にこれを、それと知り併、謀国が指示する、（内閣官房庁、内閣調査室から事件を告発してはいけない。）至上命令を受けて、この事件を隠蔽する、日本国民を騙す目的を以って、隠し続け、内閣総理大巨を筆頭とする、国会代議士達が、国会の大議事堂に設置されているテレビモニター大画面に無断で写し出されていて、ＩＱ３８０を持つ大西真実の意見を見聞しながら、国会の審議をしている有様は、一目瞭然であり、国会中継を見ながら、いろんな発明をして、自宅のパソコン、キーボードを叩こうものならば、ピンポイントされる儘、国会議事堂にあるパソコン他、そこに設置されている、犯罪機関化したＮＨＫを始めとする、日本テレビ、ＴＢＳ、フジテレビ、テレビ朝日、テレビ東京をする六大テレビ局の持つ、パソコン画面に、最高裁判所犯罪機関が容認した理由を得て、盗撮、盗映されている事実がある事が分り、その様に、特許庁に、５０３１２２７８６番の識別番号他、整理番号９９９９９９号を持つ、大西真実の発明品が特許庁に提出されると、係官が、電子化文章に変換する速度で、このマスコミが持つパソコンの中にそのままの文章で流出漏洩している事実関係は、特許庁、若しくは宮内庁が派遣する人員が実施見聞して見て下されば、本文に書かれている事件事実の重大さと、信憑性が本文、その儘の素形であり、大西真実を証人にし、被告人を内閣総理大臣、中曽根（自民党）、森（自民党）、細川（自民党）小泉（自民党）、阿部（自民党）、阿曽（自民党）、鳩山（民主党）、野田（民主党）、阿部（自民党）にして、国会に召集し、実施検証すれば、すぐに立件が出来ている事で分かり、国民に大切な事を一切知らせず儘、日本の政治は、マスコミを含めて、ここ迄デタラメになっている事が分るものであったが――しかし併、無知は罪である――。今現在日本で採用しているハイレベルなものでは、コンピューターと連同するレーダー網による自動防空警戒組織ＢＡＤＧＥ（Ｂａｓｅ  Ａｉｒ  Ｄｅｆｅｎｓｅ  Ｇｒｏｕｎｄ  Ｅｎｖｉｒｏｎｍｅｎｔ、ＢＡＤＧＥ、バッジ）システム迄であり、同じマイクロ波を使い併、周波数の違う、テレビ、ラジオ、パソコン、携帯電話他、警察、軍事無線等と連同するコンピューターシステムに同調波となるレーザー電波が侵入して来た際、警告（灯）音を発信させる事は、筆者＿＿の研究では、既に可能になっているものであったが、人々は、この事件は、他人事で、大西真実にだけに、降り掛かっている事件だけだと思い違いする、最高裁判所犯罪機関容認による、自在に出来事件だとばかり思い込み、自分の身には振りかかってはいない、と思い込み、面白がって、他、大多数を含める、何も知らないでいる、大多人数の日本国家国民を無作為に選別し、無断で、これらの人間の、家屋室内をモニター画面にし、人体実験を勤しむ、このマイクロ（レーザー）無線を悪用できる、警察（軍事）無線を始めとする、���レビ（ラジオ）局側、ＮＨＫ、日本テレビ、ＴＢＳ、フジテレビ、テレビ朝日、テレビ東京犯罪機関でも共同謀議する、位置付（差別）を思い込み、５０年以上も、国民を騙す目的を以って、事件の隠蔽を計り、大西真実を証人に立てて、日本国民に、この事件の内容を示し、防御システムの開発に乗り出す事の一切をせず、特に秘密の厳守を必要とする天皇家（公内庁）のプライバシーはメチャクチャになっており、日本国自衛隊をして、今回、指摘される、大西真実の発明品の特許内容の出願品発明内容の自由漏洩（特にパソコンから漏れている。）する儘に、延いては、日本国民一億二千万人の家屋室内、どこにでもあるテレビ、ラジオ、パソコン、携帯電話の全てにに対して、スーパーコンピューター（蝿の眼）による照準合わせが出来ており、この電波をその儘打ち込められているので、（特にテレビ画面の前
2013255771.tif 000043
日本国民一億二千万人の家屋室内は、動物舎屋になっている事が分り、天皇家のみあらず、歴代内閣総理大臣の各自宅のテレビ（画面）の置かれている部室では、一日二十四時間単位で、この電波を悪用する者達によって、筒抜けの丸見えになっている事を知れば、大西真実を口塞ぎで消されない限り、国会に証人として、召喚し、喚問せざるを得なくなった。又、スーパーコンピューターとは、何者なのか！と言えば、現在の人々が当り前の様に使用しているパソコン一台、一台を３００台以上、並列に繋いで出来る物だと考え易く、フランチャイズの超高速演算や、防犯カメラに、この技術の電波を打ち込んだ際には、本文に書かれている現象以上の成果が得られるものとなった。――それ故、本文展示物は、公序良俗には違背してはおらず、全て真実の事であり、公序良に違背しているのは、国、県、マスコミである事が分る時、特許法には触れず、正当なものである事が分る。又、これらの文章内容は、後に特許庁で公開される、新発明品、ドンキー（Ｔ．５７０）で、この電波機能をその様にして、動物、猫を始めとする、犬、牛、馬、ロバ等の頭部に向けて、照射した際、これら家畜とさへ、会話できる優れ物となる説明にもなっているものでもあった。４．本発明、「くの字式、弦楊子付歯ブラシ（Ｔ．６５２）を携帯する時、之をコンパクトにする為、「くの字型」に折り曲げた図を立体図に示し、５「くの字式、弦楊子付歯ブラシ（Ｔ．６５２）を携帯しようと思われる時、「くの字」から完全に折り曲げ、１８ｃｍの半分の９ｃｍ位のポケットサイズに折り畳んだ図を示している。６．本発明「二段スライド式コンパクト安全歯ブラシ（Ｔ．６５４）をスライドさせ、全長１８ｃｍ位まで、引っ張り出して延ばせる事を表わす他、７．反対にスライドさせ、全長が１８ｃｍの半分の９ｃｍ位になる迄、押し込んで収縮させる事が出来る事を矢印で示した図となる。８．本発明、「二段スライド式コンパクト安全歯ブラシ（Ｔ．６５４）をして、幼児等が歯ブラシを喰わえたまま、歩行しており、誤って前のめりに倒れた場合、歯ブラシが喉に刺さる前に、全長の半分の９ｃｍ位に迄、瞬間的に緊急縮少した際、ブラシ部分が、ブラシ格納ポケット内に収まる事を示した図。９．本発明、「三段スライド式コンパクト安全歯ブラシ」（Ｔ．６５５）をスライドさせ、全長１８ｃｍ迄引っ張り出して延ばせる事を表わす他、１０．反対に幼児等がこの歯ブラシを喰えたまま、歩行し、前のめりに倒れる（ファジーショック）事件が発生した場合、通常、１８ｃｍ位の長さで造られている歯ブラシは、１／３程迄（スライド式）に急速に縮少を開始し、幼児童の喉に突き刺さり事件が起こる前に、未然に事故を防ぐ事の出来る事を示す図となった。１１．本発明、「三段スライド式コンパクト安全歯ブラシ（Ｔ．６５５）を三段目までスライドさせ、収縮させた際、ブラシ部分が格納されるブラシポケットを表わす図。１２．小型歯磨チューブ。１３．小型歯磨きチューブを入れるポケット。１４．本発明、「くの字式歯磨きチューブ付安全歯ブラシ（Ｔ．６５３）を全長１８ｃｍ位の長さに作り、歯磨きに使用する時、完全に引き延ばした全体図。１５  「くの字式歯磨きチューブ付安全歯ブラシ（Ｔ．６５３）を携���する時、これをコンパクトにする為、「くの字」に折り曲げる方向を矢印で示した立体図。１６．（Ｔ．６５３）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが、付いている事を示している。１８．本発明、「くの字形弦楊子付歯ブラシ」（Ｔ．６５２）に備っている弦楊子の弦を使い、上前歯で押し付け、下前歯の間を掃除している所を示す図となった。１９  現在、１８ｃｍ位の直線で造られている、歯ブラシの、２０  柄の部分を弓なりの歪曲形にして造り、２１．湾曲（入れ歯で実験）形にして造ると、２２．歯磨きをする際、前歯では、ブラシの毛先が、前歯の隙間に、よく入り込んで、よく磨け、２３．奥歯では歯と歯並びによくフィットして、効率よく磨ける事を示す図となるが、２４．幼児等が、この歯ブラシを喰えた儘、歩行し、誤って、転倒する事故が発生した場合、これが原因し、急激であり、必要以上の加重が口内に発生した場合、２５．全長１８ｃｍ位で造られている、この発明歯ブラシは、危険（ファジーショック）を感知し、全長の半分の９ｃｍ位の長さに急速に折れ込んで縮少される物となる他、本発明される、歪曲形くの字式安全歯ブラシ（Ｔ．６５１）を携帯しようと思われる時、２６．歯磨きチューブを附属する、ポケットに入れて、背負い込ませ、２７．携帯し易い様に、完全に、１８ｃｍ位から、半分の９ｃｍのポケットサイズの大きさ迄、折り畳みを完了できる、新式の「歯ブラシ」が発明された図を示す物となった。２８．くの字式歯磨きチューブ付安全歯ブラシ（Ｔ．６５３）を幼児童等が口に喰わえた儘、前のめりに倒れる事があり、口内に必要以上の加重
2013255771.tif 000044
くの字形に二等分する、中心部にある芯部に伝わる際、３０．芯部は、（ファジーショック力の）衝撃力を受けて、即、移動を
2013255771.tif 000045
磨きチューブ付安全歯ブラシ（Ｔ．６５３）が完全に畳み終わりを終了した際には、ファジーショック感知センサーとなる、歯ブラシの芯棒は開けられた歯ブラシの孔中を正反対に移動している事を示している。
【手続補正５】
【補正対象書類名】図面
【補正対象項目名】図１
【補正方法】変更
【補正の内容】
【図１】
2013255771.tif 000046
【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
現在、全長１８ｃｍ位で、直線形で統一されて作られている、歯ブラシを本発明図と、本発明図説（符号の説明等）で説明される様に、歯磨きし易い様に、歯ブラシを口内に入れた際、「入れ歯歯磨き」に見られる様に、人の口内を作る歯並びが、上顎、下顎共にＵの字型に湾曲している形に対して、フィットし易い様に、歯ブラシ、その物を直線形式で作るのではなく、歪曲させて造られると、歯磨きが効果的に出来る発明が成される事と共に、この歪曲形くの字式安全歯ブラシ」（Ｔ．６５１）では、使用時には、歪曲した、１８ｃｍ位迄の形状に引き延ばして使用出来る他、幼児等がこの歯ブラシを使用している際、誤って前のめりに倒れる時、歯ブラシの歪曲部にファジーショックが感じられる際、（この）歯ブラシは、幼児童等の喉に突き刺さる（事故が発生する）前に、急速にくの字形に折り畳みを開始する機能を付ける目的を持つ発明が成される他、その様に、この歯ブラシを使用しない時には、携帯し易い様に、１８ｃｍ位の長さで造られている歯ブラシを半分の９ｃｍ位迄の大きさに中心部から、「くの字」型に折り畳み出来る機能を付け、歯ブラシを折り曲げ切った所の、ブラシの反対方向の尻部に、ブラシ部分を格納出来る、ブラシ収納ポケットを付け、更に、ブラシ格納ポケットの反対側の背に、歯摩チューブを自在に出し入れ出来る、チューブ入れポケットを組み込む構造の「歪曲形ポケット付きくの字式安全歯ブラシ（Ｔ．６５１）＿＿＿＿＿＿＿＿＿
【請求項２】
本発明される歯ブラシはネックの部分を「本発明図面」と「発明図説」（符号の説明等）で説明される様に放物線状に作り、放物線形状に作ったネックの底部に糸（弦）を付け、歯と歯の間に溜る歯垢を帰除させ、取り除かせる目的を持たせた弦楊子が発明される事をして、本発明される歯ブラシは使用時には、１８ｃｍ位迄の形状に引き延ばして使用する事が出来る他、この歯ブラシでは、幼児等が使用していて、急激に起こる不慮の事故が生じた際、本発明、「くの字式弦楊子付歯ブラシ（Ｔ．６５２）では、急速に、この歯ブラシをくの字に折り曲げるべく、歯ブラシの柄の部分に孔空を開け、軸支点を移動させ、緊急折り曲げが可能となるファジーショック感知センサーが発明される請求をして、本発明歯ブラシでは、歯ブラシを折り曲げ切った所のブラシの反対方向の尻部に、「ブラシ部分」を収納出来る「ブラシ収納ポケット」を付けた「くの字式弦楊子付歯ブラシ」（Ｔ．６５２）が発明される他、ブラシポケットの反対側の背に、歯磨きチューブを常設し、チューブを自在に出し入れ出来るチューブ入れポケットを組み込む構造のくの字式歯磨きチューブ付安全歯ブラシ（Ｔ．６５３）＿＿＿＿＿＿＿＿＿
【請求項３】
本発明される歯ブラシは、「本発明図面」と「本発明図説」（符号の説明等）で説明される様に、使用時には、全長１８ｃｍ位の二段構え（Ｔ．６５５）や、三段構え（Ｔ．６５６号）にすべく、スライドさせ、引っ張り出して延ばし、直線形式で使用される物となる物であったが、使用しないで携帯する時には、全長の半分の９ｃｍ位から６ｃｍ位まで、スライド収縮させる事が出来、縮少し切った所にブラシを収納できる、ブラシポケットが発明され、ブラシポケットの反対側の背に歯磨チューブを常設し、これを自在に出し入れが出きるチューブ入れポケットを組み込む事の出来る発明品となる他、  本発明品は、幼児童等が、この歯ブラシ等を喰えたまま、歩行し、誤って前のめりに転倒する事故が発生した場合、これが原因し、急激であり、必要以上の加重が、口内に発生した場合、全長１８ｃｍ位で造られているこれらの発明される歯ブラシ等では、危険を感知し、全長の半分の９ｃｍ、若しくは、１／３の６ｃｍ位迄の長さに、急速に縮少を開始する事の出来る、「二段スライド式コンパクト安全歯ブラシ」（Ｔ．６５４号）他、「三段スライド式コンパクト安全歯ブラシ（Ｔ．６５５号）と呼ばれる、新式の「歯ブラシ」＿＿＿＿＿＿＿＿＿
【手続補正２】
【補正対象書類名】明細書
【補正対象項目名】００１０
【補正方法】変更
【補正の内容】
【００１０】
【図１】  本発明、全長を１８ｃｍ位で作る「くの字形」、弦楊子付歯ブラシ（Ｔ．６５２）の歯ブラシのネックの部分を放物線状に造り、それは、取っ手にする目的を持たせる他、その底部に糸を張り、弦楊子にする目的を以って、之を造り、この「くの字形弦楊子付歯ブラシ」（Ｔ．６５２）を歯磨き使用時には、引っ張り出して真っすぐに使うが、幼児童が之を使用し、不慮の事故に遭偶した際には、ファジーショック力吸収センサーが働き中心部から、急速に、くの字形に折れ曲がり、縮少する事で危険を回避する事が出来る発明となる他、通常、この歯ブラシを携帯し、持ち運びする時には、中心部から「くの字」型に折り曲げて畳み込む事が出来る際、半分の９ｃｍ位の大きさにコンパクトにする事が出来る事を立体図に表わしている事が示される他、歯ブラシをスライド式にし、歯みがきをする際には、引っ張り出して歯磨きに用い、使用しない時はスライド式に押し込んで収納出来る他、歯ブラシにポケットを付ける物となったが、幼児童等がこれを口に喰えた儘、前のめりに転倒する事故が生じた場合でも、緊急にスライドして、収納する時は、９ｃｍ位の半分位のコンパクト状に縮少する「二段スライド式コンパクト安全歯ブラシ」（Ｔ．６５４）や、６ｃｍ位迄に縮少する、「三段スライド式コンパクト安全歯ブラシ（Ｔ．６５５）にも出来る時、これを立体図に示した物となるが、他に、本発明、弦楊子による、口内使用例も書き表わされているものとなった。
【手続補正３】
【補正対象書類名】明細書
【補正対象項目名】００１１
【補正方法】変更
【補正の内容】
【００１１】
【図２】  本発明全長１８ｃｍ位で作る「くの字式歯磨きチューブ付安全歯ブラシ（Ｔ．６５３）の背部に、歯磨チューブを入れ込んで携帯できる、歯ブラシを作った時、歯ブラシの柄を、直線形式で造る物と、歪曲線形式で造る「歪曲形ポケット付きくの字式安全歯ブラシ」（Ｔ．６５１）の二種類の歯ブラシの種類が示される図となったが、いずれの歯ブラシにしても、幼児童等が、この発明される歯ブラシを口に喰えた儘、前のめりに転倒する事故が生じた場合、喉に突き刺さり事件を防止すべく、半分の９ｃｍ位に迄、緊急縮少し、真っ二つに折れ曲がるべく、歯ブラシの柄の中心部に、ファジーショック力を吸収する、安全装置（ストッパー）が取り付けられている事を示す図となったが、歯ブラシを歪曲形にすると、口内の歯磨き効率、効果が良くなる事を入れ歯を使って、実験している所を示す図にもなった。
【手続補正４】
【補正対象書類名】明細書
【補正対象項目名】０００３
【補正方法】変更
【補正の内容】
【０００３】●２００４−３１４７９６、非特許文献●２００９−１３５５４９、非特許分献●２０１０−２０４８９３
【手続補正５】
【補正対象書類名】明細書
【補正対象項目名】００１５
【補正方法】変更
【補正の内容】
【００１５】１．本発明、くの字式弦楊子付き歯ブラシ（Ｔ．５６２）を全長１８ｃｍ位いの長さに作り、歯磨きに使用すべき時は、直線に完全に引き延ばした立体図を全体図で示したものであり、２．本発明図、歯ブラシのネックの部分は、放物線状に作り、３．放物線形状の歯ブラシの底部に糸（弦）を付ける事を目的として、弦楊子を形成している事を示した図
2013255771.tif 000047
犯罪機関化した東京地検特捜部、４０２号調室側では、この悪事、犯罪がある事を知り併、告訴しても告発せず、犯罪事件を隠して握り潰す（５８年（ワ）９８７６号）事件が発生し、謀国が仕組む、日本国家国民にとっては、都合の悪いあらゆる犯罪事件を握り潰す事件を引き起こし、マスコミ（宣伝部）と結託して事件を拡大させ、更には、犯罪機関化した最高裁判所犯罪機関がそれらの犯罪行為のある事は全て正当である。と認定した為、これらの犯罪行為は、日本国民を騙す目的を以って、国是となり、日本国政府筋にあるスーパーコンピューターを介し、天皇家を始めとする日本国民１億２千万人の各家庭、会社、事務所のパソコンや、道路に向けてあるテレビ等の全てに向けて仕掛けられており、超ＬＳＩの進歩により、国内には、およそ、９億台以上あると言われている、テレビ、ラジオ、携帯電話、パソコ等の持ってマイクロ波無線にレーザ線と同調波、電波として打ち込むと、それらのテレビ、携帯電話、パソコンの持つ電波と同調波となる時、テレビの前にいる人々の室内内部は、丸見えとなり、ラジオの前に居る人々の室内音声は、ラジオ局を経由する、この電波を操作、悪用する者達の自在となり、携帯電話器機、パソコンの周波数も同様の物となる他、（特許庁内部で係官が）パソコン、キーボードを叩く速度で、盗聴、盗撮できる様に仕掛けられ、その内情を密かに覗き見る事は、日本国民が持つ、各家電品である、テレビ、ラジオ、携帯電話器、パソコンを含む９億台以上にも相当し、（分り易く言えば、スーパコンピューターは、蠅の複眼の様に進化して来た物であり、パソコンは、人の眼の単眼が進化した物に似て、（特願２００４−３１４７９６参照）情報処理出来るものとなり、レーザ線は、盗聴、盗撮波となり、今来た、テレビ、ラジオ、携帯電波、パソコン等の持つマイクロ波無線と同化し、附近の室内映像物を拾い、写し出し、反射し、今来た路線を正確に戻り、国是となり、人体実験に勤しむ為、この犯罪を共同謀議するＮＨＫ、ＴＢＳ、日本テレビ、フジテレビ、テレビ朝日、テレビ東京として、テレビ局（六大テレビ局を含む）ラジオ局、警察無線当局他では、之等は、日本国民をして、日本国民を騙す目的を以って、各会社、各家庭内にある家電品（番号）と繋げられるこれら共同謀議する無線局等では、謀国犯罪機関が指令、指示するままに、盗聴、盗撮して、無差別自在に、閲覧する事件化した時、筆者大西真実は、この事件を見破り、証人をたて、東京地検特捜部に、告訴（５８年（ワ）９８７６号）したが、上層部からこの事件を告発しては、ならない、至上命令が出て、告発せず、最高裁判所犯罪機関が容認した為、国是となる中、この事件は更に分り易く言えば、軍用機船等がレーダ（マイクロ）電波を空中、海上、海中等に向けて打ち込むと、反射波となり、跳ね返えり、軍用機船内部にあるモニター画面に反射波となり、附近にある物体や状態を拾い出して来て、この電波は、テレビ画像、ラジオ音声等にも変換でき、この技術は、日進月歩で進んでおり、この電話をアナログ波からデジタル波に（強制）変更させると、スーパーコンピューターの持つデジタル（シナプス）波と同調する、このデジタル周波数を出す、各家庭にある、テレビ、ラジオ、パソコン、携帯電話器機等を出力するデジタル周波数とは、同調波となる為、現時点で、本発明品の「識別番号５０３１２２７８６号の発明物の全てには、特許庁内で、シークレット（整理）番、９９９９９９９９９９番号が賦与されている事を既にマスコミ界では、広範囲で、周知されている事を特許庁側では、知らぬのみにあらず、大西真実（マコト）が発明して文書化する発明品の全て、一切の物に対しては、自宅のパソコンキーボードを使用する事が出来ず、全て手書きで書かれて出願提出されており、これを受け取る特許庁側では、これを受け取って、特許庁内部の係官が、パソコンのキーボードを叩き、電子化文章に文字変換する速度で、その全ての文章内容は、特許庁が法に基づいて開示の禁止される、１、６年の年月を待たず、マスコミ宣伝部と結託する、軍事無線局他、マイクロ波を使う、テレビ、ラジオ、警察等の犯罪機構機関化した無線局等に瞬時に漏洩している事実関係は、本件出願提出される２０１２年１６００３号発明物品にも、不法行為が及び、多大な捐害が発生している事を特許庁自体は知らず、法１８８条１、２にある、「虚偽表示の禁止」条令にある、本件に書かれる展示文（章）には、虚偽を表示する事が出来ない事から、ここに書いてある文章の内容は全て真実に事であり、あまりにも多く（２５万人）の人員が、この事件に関与し、膨大に膨れ上がり、この事件をその通りに見て、認識し、立件、検証できる、有体は、立検したが最後、日本国民の間で大パニック現象が起こるべきして起こる原因となる為、ブログに掲載される、検察庁（特捜部）警察庁犯罪機関等では、一切の証拠調べを嫌ってせず、この事件を握り潰しか方法が無く、犯罪機関呼ばわりされても、上層部から「この事件内容を告発してはならない。」旨、至上命令が出ている為、（特許庁自体）誰れもが告発できな事ですぐ分る所となり、この犯罪を見破れる科学者は、警察庁犯罪機関が、      強制介入し、行政権を実力行使し、精神病扱いされ、          事件の握り潰しが企てられた。―――中世に天動説が当り前だった時代、地動説を唱える者は、宗教裁判にかけられ、終身刑が与えられるのに似る、ガリレオ．ガリレイは、「それでも地球は回っている。」と言った様に筆者、大西真実は、「それでも日本国民の各家屋、家庭は、動物舎屋になっている。」と唱える事は、一日本人として、現代の日本国民一億二千万人と、後の子孫の生命と財産を守らなければならない義務があるからであって、「注意書き」として特許庁のホームページに永久保存して書き残さねばならぬ旨、書き残されるものとなった。―――しかし併、現時点の段回では、この犯罪は、スーパーコンピューター（パソコン、携帯電話器、テレビ、ラジオ等他）の持つデジタル（電子頭脳、シナプス）波と同調する、デジタル周波数を出す、各家庭、会社等にある、テレビ、ラジオ、パソコン、携帯電話器等が出力するデジタル周波数とは、同調波となる時、（脳波、シナプスは人の指紋と同じく、個人個人全部違う）人間、動物等は、物を考える（思考、言動力）時、脳があらゆるパターンの脳波形を持つシナプス波記号を数値にして、スーパーコンピューター（若しくは、パソコン）に覚えさせている為、日本国民一億二千万人の持つ各家電��にある、テレビ、ラジオ、パソコン、携帯電話等が出力するデジタル周波数とは、同調波となる時、連係連同する際、何も知らないで、自宅でくつろいでいる人々と、その室内映像は、他所で、この反射電波（レーザー）を悪用する者達の前で、筒抜けの丸見えになっている事は、一搬市民の知られざる所、携帯会社では、顧客の情報秘密を厳寸する。」とウソの報導し続け、詐欺を働らき、国民の中から無作為に
2013255771.tif 000048
注意したが聞かず、最高裁判所犯罪機関が容認した事である。とウソ吹き、日本国政府は、謀国が支持する、この犯罪は無い物に思わせる為、『個人情報保護法案』と題するウソ八百の国是となる法案を、国民を騙す目的を以って発表したが、元々、これらの事件の元となる物は、謀国に墜落したＵＦＯの中に生存していたエーリアンが持っていた技術であり、（ＵＦＯＩ型機、Ｔ．７３０参照）エーリアンと人間との間の通訳に使われた物であり、これは、人動物の脳が生活時に出すシナプス、デジタル電波にスーパコンピューター（パソコンを含む）を介する反射波が、テレビ、ラジオ、警察（軍事）無線局等が出力発信させる、デジタル電波が同調波となる時、テレビ、ラジオ、携帯電話、パソコン等の前に居る人々、動物を含む（ドンキー、Ｔ．５７０参照を）含む、１億２千万人の日本国民一人一人の考えている事を一気に、スーパーコンピューター（パソコンを含む）が、文字若しくは、音声変換させる事が出来る様になっている事は、大西真実は、この技術者でもあり、テレパシーモニタリングを見破った日本国民第一級の証人対象にもなっているものでもあり、東京地検特捜部犯罪機関が、この事件を告発せず、握り潰すままに、最高裁判所犯罪機関が妥当、容認し、国是となっている為、事件は悪質化の一途を辿り、証人大西真実は、口塞ぎて何度も
2013255771.tif 000049
この技術は、分り易く言えば、謀国にある戦闘機にも見られる、パイロットが炯眼装置器を使い、邀撃目標物を睨んだ時、パイロットの脳視神経にある視点（シナプス）電波と戦闘機の持つハードウェアーが出す）デジタル波が合致する際、戦闘機にある（邀撃）砲弾丸が自動的にしかも正確にパイロットの睨んだ視点目標物に向けられて打ち込みが出来る様に動く等の技術に使われているのにも似ており、又、消費税が上がる事を前提に、日本国民１億２千万人が持つ、住所、氏名、年令、銀行口座番号を知り、国民○○に登録をするを以って、定額給付金、１万２千円づつを平成年間に配布する丸見えとなる目に余る行為を国家の指導者等は、実力行使し続け（タバコも然る物であり、）これらの事件内容は、日本日本国民が知らぬ間に大量発生している為、それ故、全国民をして、筆者は、何も知らないで、特許庁様が、推奨される発明品のパソコン書きは、（秒刻みで）盗撮されている等の国是となる犯罪被害が発生している事を知っているので、それらは、一切出来ぬ所となり、日数をかけず、全て手書きで書かれ、特許庁に提出される「ペンは剣より強く」これら特許論文の内容により、次第にこの様に、隠され続けていた国家が為す悪事犯罪事件事実が少しづつ世の中に暴露され続け、社会に少しづつ漏れ出し、自民党は過半数割れするものとなったが、これらの事件は、現在も、自民民主党他、各党を含める共に交互に、受け継がれるままに、悪質化の一途を辿り、一搬国民には隠され、受け続けるままとなり、日本国マスコミも之等の事件を知り併、日本国民には、一切報導せず、この犯罪犯行に賛同し続けたものであり、現在日本国民の家屋室内は、謀国犯罪機構機間人員の繰られるままに、スーパーコンピュータ（パソコンを含む）の威力の前に丸見えの筒抜けとなる、動物舎屋同然となっているものであり、発明家でもある筆者の発明創作物は、この様にして、盗まれ続けているので、特許出願前に既に市場に出回っているものさへあった。しかし併、かつて、英国皇室に盗聴、盗撮器が仕掛っていた時、英国皇室と英国新聞が（見破って）告発しただけの器量は、日本の宮内庁他、犯罪機構機関化している日本のマスコミには、なかった。（テレプ、Ｔ．１９０参照。）
ここに書かれている犯罪事件の大綱は、日本の四権分立制度にある立法府（国会）、司法府（裁判所、検察庁）行政府（警察庁）、マスコミ（報導機関）の全てがグルになり、この犯罪機構機関の支柱となる大元を、内閣官房庁、内閣調査室に置き、謀国が指示する、本件に示される、犯罪行為を、内閣総理大臣自身が（傀儡）指揮を採って実行しているものであり、（特許庁関係者のみにあらず）本展示物（文章）を読まれる、あらゆる全ての人々が、そこに行って見れば一目瞭然に分かり、犯罪機関化した、ＮＨＫを始めとする民放（五大）テレビ（ラジオ）局による、（大西家には、風呂場や寝室にもテレビがあり、）大西真実の行く先々（風呂場で裸になっている映像を含み、携帯電話
2013255771.tif 000050
容認（許可）を得て構成されている。と位置付け、大西真実（モニター）が自宅の風呂場で裸になって、テレビ国会中経を見ていても、国会議事堂に設置されている、ＮＨＫを始めとする、テレビモニター大画面に、大西真実の裸体がその儘、中継され、一搬公開されている事実を、東京地検特捜部犯罪機関（４０２号調室）では、既にこれを、それと知り併、謀国が指示する、（内閣官房庁、内閣調査室から事件を告発してはいけない。）至上命令を受けて、この事件を隠蔽する、日本国民を騙す目的を以って、隠し続け、内閣総理大臣を筆頭とする、国会代議士達が、国会の大議事堂に設置されているテレビモニター大画面に無断で写し出されていて、ＩＱ３８０をもつ大西真実の意見を見聞しながら、国会の審議をしている有様は、一目瞭然であり、国会中継を見ながら、いろんな発明をして、自宅のパソコン、キーボードを叩こうものならば、ピンポイントされる儘、国会議事堂にあるパソコン他、そこに設置されている、犯罪機関化したＮＨＫを始めとする、日本テレビ、ＴＢＳ、フジテレビ、テレビ朝日、テレビ東京をする六大テレビ局の持つ、パソコン画面に、最高裁判所犯罪機関が容認した理由を得て、盗撮、盗映されている事実がある事が分り、その様に、特許庁に、５０３１２２７８６番の識別番号他、整理番号９９９９９９号を持つ、大西真実の発明品が特許庁に提出されると、係官が、電子化文章に変換する速度で、このマスコミが持つパソコンの中にそのままの文章で流出漏洩している事実関係は、特許庁、若しくは宮内庁が派遣する人員が実施見聞して見て下されば、本文に書かれている事件事実の重大さと、信憑性が本文、その儘の素形であり、大西真実を証人にし、被告人を内閣総理大臣、中曽根（自民党）、森（自民党）、細川（自民党）、小泉（自民党）、阿部（自民党）、阿曽（自民党）、鳩山（民主党）、野田（民主党）、阿部（自民党）にして、国会に召喚し、実施検証すれば、すぐに立件が出来ている事で分かり、国民に大切な事を一切知らせず儘、日本の政治は、マスコミを含めて、ここ迄デタラメになっている事が分るものであったが――しかし併、無知は罪である――。今現在日本で採用しているハイレベルなものでは、コンピューターと連同するレーダー網による自動防空警戒組織ＢＡＤＧＥ（Ｂａｓｅ  Ａｉｒ  Ｄｅｆｅｎｓｅ  Ｇｒｏｕｎｄ  Ｅｎｖｉｒｏｎｍｅｎｔ．ＢＡＤＧＥ、バッジ）システム迄であり、同じマイクロ波を使い併、周波数の違う、テレビ、ラジオ、パソコン、携帯電話他、警察、軍事無線等と連同するコンピューターシステムに同調波となるレーザー電波が侵入して来た際、警告（灯）音を発信させる事は、筆者の研究では、既に可能になっているものであったが、人々は、この事件は、他人事で、大西真実にだけに、降り掛かっている事件だけだと思い違いする、最高裁判所犯罪機関容認による、自在に出来事件だとばかり思い込み、自分の身には振りかかってはいない、と思い込み、面白がって、他、大多数を含める、何も知らないでいる、大多人数の日本国家国民を無作為に選別し、無断で、これらの人間の家屋室内をモニター画面にし、人体実験を勤しむ、このマイクロ（レーザー）無線を悪用できる、警察（軍事）無線を始めとする、テレ���（ラジオ）局側、ＮＨＫ、日本テレビ、ＴＢＳ、フジテレビ、テレビ朝日、テレビ東京犯罪機関でも共同謀議する、位置付（差別）を思い込み、５０年以上も、国民を騙す目的を以って、事件の隠蔽を計り、大西真実を証人に立てて、日本国民に、この事件の内容を示し、防御システムの開発に乗り出す事の一切をせず、特に秘密の厳守を必要とする天皇家（公内庁）のプライバシはメチャクチャになっており、日本国自衛隊をして、今回、指摘される、大西真実の発明品の特許内容の出願品発明内容の自由漏洩（特にパソコンから漏れている。）する儘に、延いては、日本国民一億二千万人の家屋室内、どこにでもあるテレビ、ラジオ、パソコン、携帯電話の全てにに対して、スーパーコンピューター（蠅の眼）による照準合わせが出来ており、この電波をその儘打ち込められているので、（特にテレビ画面の前
2013255771.tif 000051
日本国民一億二千万人の家屋室内は、動物舎屋になっている事が分り、天皇家のみあらず、歴代内閣総理大臣の各自宅のテレビ（画面）の置かれている部室では、一日二十四時間単位で、この電波を悪用する者達によって、筒抜けの丸見えになっている事を知れば、大西真実を口塞ぎで消されない限り、国会に証人として、召喚し、喚問せざるを得なくなった。又、スーパーコンピューターとは、何者なのか！と言えば、現在の人々が当り前の様に使用しているパソコン一台、一台を３００台以上、並列に繋いで出来る物だと考え易く、フランチャイズの超高速演算や、防犯カメラに、この技術の電波を打ち込んだ際には、本文に書かれている現象以上の成果が得られるものとなった。――それ故、本文展示物は、公序良俗には違背してはおらず、全て真実の事であり、公序良に違背しているのは、国、県、マスコミである事が分る時、特許法には触れず、正当なものである事が分る。又、これらの文章内容は、後に特許庁で公開される、新発明品、ドンキー（Ｔ．５７０）で、この電波機能をその様にして、動物、猫を始めとする、犬、牛、馬、ロバ等の頭部に向けて、照射した際、これら家畜とさへ、会話できる優れ物となる説明にもなっているものでもあった。４．本発明「くの字式、弦楊子付歯ブラシ（Ｔ．６５２）を携帯する時、之をコンパクトにする為、「くの字型」に折り曲げた図を立体図に示し、５  「くの字式、弦楊子付歯ブラシ（Ｔ．６５２）を携帯しようと思われる時、「くの字」から完全に折り曲げ、１８ｃｍの半分の９ｃｍ位のポケットサイズに折り畳んだ図を示している。６．本発明「二段スライド式コンパクト安全歯ブラシ（Ｔ．６５４）をスライドさせ、全長１８ｃｍ位まで、引っ張り出して延ばせる事を表わす他、７．反対にスライドさせ、全長が１８ｃｍの半分の９ｃｍ位になる迄、押し込んで収縮させる事が出来る事を矢印で示した図となる。８．本発明、「二段スライド式コンパクト安全歯ブラシ（Ｔ．６５４）をして、幼児等が歯ブラシを喰わえたまま、歩行しており、誤って前のめりに倒れた場合、歯ブラシが喉に刺さる前に、全長の半分の９ｃｍ位に迄、瞬間的に緊急縮少した際、ブラシ部分が、ブラシ格納ポケット内に収まる事を示した図。９．本発明、「三段スライド式コンパクト安全歯ブラシ」（Ｔ．６５５）をスライドさせ、全長１８ｃｍ迄引っ張り出して延ばせる事を表わす他、１０．反対に幼児等がこの歯ブラシを喰えたまま、歩行し、前のめりに倒れる（ファジーショック）事件が発生した場合、通常、１８ｃｍ位の長さで造られている歯ブラシは、１／３程迄（スライド式）に急速に縮少を開始し、幼児童の喉に突き刺さり事件が起こる前に、未然に事故を防ぐ事の出来る事を示す図となった。１１．本発明、「三段スライド式コンパクト安全歯ブラシ（Ｔ．６５５）を三段目までスライドさせ、収縮させた際、ブラシ部分が格納されるブラシポケットを表わす図。１２．小型歯磨チューブ。１３．小型歯磨きチューブを入れるポケット。１４．本発明、「くの字式歯磨きチューブ付安全歯ブラシ（Ｔ．６５３）を全長１８ｃｍ位の長さに作り、歯磨きに使用する時、完全に引き延ばした全体図。１５  「くの字式歯磨きチューブ付安全歯ブラシ（Ｔ．６５３）を携��する時、これをコンパクトにする為、「くの字」に折り曲げる方向を矢印で示した立体図。１６．（Ｔ．６５３）歯ブラシを携帯する為に完全に畳み込むと、全長１８ｃｍの半分の９ｃｍ位のポケットサイズになる事を示しており、１７．完全に折り畳んだ時、歯ブラシのブラシ部分を格納できるポケットが付いている事を示している。１８．本発明、「くの字形弦楊子付歯ブラシ」（Ｔ．６５２）に備っている弦楊子の弦を使い、上前歯で押し付け、下前歯の間を掃除している所を示す図となった。１９  現在、１８ｃｍ位の直線で造られている歯ブラシの、２０  柄の部分を弓なりの歪曲形にして造り、２１．湾曲（入れ歯で実験）形にして造ると、２２．歯磨きをする際、前歯では、ブラシの毛先が、前歯の隙間に、よく入り込んで、よく磨け、２３．奥歯では、歯と歯並びによくフィットして、効率よく磨ける事を示す図となるが、２４．幼児等が、この歯ブラシを喰えた儘、歩行し、誤って、転倒する事故が発生した場合、これが原因し、急激であり、必要以上の加重が口内に発生した場合、２５．全長１８ｃｍ位で造られている、この発明歯ブラシは、危険（ファジーショック）を感知し、全長の半分の９ｃｍ位の長さに急速に折れ込んで縮少される物となる他、本発明される、歪曲形くの字式安全歯ブラシ（Ｔ．６５１）を携帯しようと思われる時、２６．歯磨きチューブを附属する、ポケットに入れて、背負い込ませ、２７．携帯し易い様に、完全に、１８ｃｍ位から、半分の９ｃｍのポケットサイズの大きさ迄、折り畳みを完了できる、新式の「歯ブラシ」が発明された図を示す物となった。２８．くの字式歯磨きチューブ付安全歯ブラシ（Ｔ．６５３）を幼児童等が口に喰わえた儘、前のめりに倒れる事があり、口内に必要以上の加重
2013255771.tif 000052
くの字形に二等分する、中心部にある芯部に伝わる際、３０．芯部は、（ファジーショック力の）衝撃力を受けて、即、移動を
2013255771.tif 000053
磨きチューブ付安全歯ブラシ（Ｔ．６５３）が完全に畳み終わりを終了した際には、ファジーショック感知センサーとなる、歯ブラシの芯棒は開けられた歯ブラシの孔中を正反対に移動している事を示している。
【手続補正６】
【補正対象書類名】図面
【補正対象項目名】全図
【補正方法】変更
【補正の内容】
【図１】
2013255771.tif 000054
【図２】
2013255771.tif 000055